(57)【要約】【課題】建設工事の進捗工程表や建築資材の搬入スケジュールといった複雑かつ大容量のデータを建築現場で容易に確認して円滑な建築作業の進行を実現する進捗管理システムを提供する。【解決手段】進捗管理システムは、建築工事における施工の進捗を管理する進捗管理サーバ１０と、その建築工事の現場監督により操作され、その建築工事の進捗状況等の管理を行う現場監督端末２０と、その建築工事の現場作業員により操作され、その建築工事における施工の工程表等を表示可能な現場作業員端末３０と、前述の進捗管理サーバ１０において管理される各データへのアクセス権限を管理するアクセス権限設定端末４０とを有して構成される。【選択図】図１
2010157206.tif 000002
【特許請求の範囲】
【請求項１】
建築工事の進捗を管理する進捗管理システムであって、
建築工事における各工程のスケジュールが示された工程表データを格納するとともに、該工程表データを汎用性の高いデータ形式に変換し、該変換した工程表データを送信する進捗管理サーバと、
建築現場で作業を行う現場作業員により操作されるものであって前記送信された変換後の工程表データを受信し、その受信した変換後の工程表データの表示を行う現場作業員端末とを有することを特徴とする進捗管理システム。
【請求項２】
前記進捗管理サーバは、前記工程表データのデータ形式をＣＳＶなどテキストデータに変換し、XMLファイルにより通信させることを特徴とする請求項１記載の進捗管理システム。
【請求項３】
前記建築工事を監督する現場監督により操作される現場監督端末をさらに有し、
前記現場監督端末又は現場作業員端末は、緊急に連絡すべき事項及び送信先を示す緊急連絡情報を入力して前記進捗管理サーバへ送信し、
前記進捗管理サーバは、前記緊急連絡情報を受信すると、前記送信先の端末の待受画面又はデスクトップ画面において前記緊急に連絡すべき事項のテロップによる表示を要求する旨情報を、前記送信先の端末へ送信することを特徴とする請求項１又は２記載の進捗管理システム。
【請求項４】
前記現場作業員端末は、建築資材の搬入予定を示す情報を前記進捗管理サーバへ送信し、
前記進捗管理サーバは、前記搬入予定を示す情報を登録して、資材搬入スケジュールデータとして管理することを特徴とする請求項１から３のいずれか１項に記載の進捗管理システム。
【請求項５】
前記現場作業員端末は、前記資材搬入スケジュールデータにおいて既に搬入予約済みの時期に建築資材を搬入予定であることを示す情報を前記進捗管理サーバへ送信し、
前記進捗管理サーバは、前記既に搬入予約済みの時期に搬入予定であることを示す情報を受信すると、該時期における搬入の予約内容を示す搬入予約情報を前記現場作業員端末へ送信することを特徴とする請求項４記載の進捗管理システム。
【請求項６】
前記現場作業員端末は、前記搬入予約情報を受信すると、自機の画面上に表示し、
前記表示された搬入予約情報の画面情報上には電話番号を示すアイコンが表示され、前記現場作業員端末が前記電話番号を示すアイコンを選択すると、前記既に搬入予約済みの現場作業員の現場作業員端末に自動発呼することを特徴とする請求項５記載の進捗管理システム。
【請求項７】
前記現場作業員端末は、前記搬入予約情報を受信すると、自機の画面上に表示し、
前記現場作業員端末は、前記搬入予約情報上には電子メール本文の入力欄及び電子メールの送信アイコンが表示され、前記現場作業員端末が、前記入力欄にテキストデータを入力し、前記送信アイコンを選択すると、前記入力されたテキストデータを本文とする電子メールが前記既に搬入予約済みの現場作業員の現場作業員端末に自動送信することを特徴とする請求項５又は６記載の進捗管理システム。
【請求項８】
一又は複数の代表工程データを有する作業工程を少なくとも一つ含む工程表データを記憶して管理するサーバと、前記サーバとデータの送受を行う機能を有する作業者端末とを備える進捗管理システムであって、
前記サーバは、
前記作業者端末から送信される投稿データを、その投稿データに対応する前記代表工程データと前記作業工程データに関連づけて前記記憶手段に記憶する投稿データ格納手段と、
前記作業者端末からの要求に応じて、前記作業者端末で、前記データの送受を行うための操作画面を表示するのに必要な操作画面データを、前記記憶手段に記憶する前記工程表データに基づいて作成して前記作業者端末に送信する端末操作画面作成手段と、を備え、
前記作業者端末は、
前記サーバから前記操作画面データを受信して、前記操作画面を表示するための操作画面表示手段と、
前記操作画面を用いて、その入力欄に入力したテキストデータ及び（又は）撮像手段によって撮像された画像データと、位置データ取得手段で取得した前記投稿データを作成する際の位置データと、日付データとを含む前記投稿データを作成するための投稿データ作成手段と、
前記操作画面を用いて、前記作成した投稿データを、どの作業工程データのどの代表工程データと関連付けて前記記憶手段に記憶するのかを示す格納情報データと共に前記サーバに送信するための投稿データ送信手段と、を備えることを特徴とする進捗管理システム。
【請求項９】
前記作業者端末は、前記操作画面を用いて前記代表工程データに関連付けられている前記投稿データの送信を前記サーバに要求し、前記サーバから対応する前記投稿データを取得して画面に表示する投稿データ取得表示手段を備え、
前記サーバは、前記作業者端末から、前記操作画面を用いて、前記代表工程データに関連付けられている前記投稿データの送信を要求されると、対応する前記投稿データを前記記憶手段から読み出して、その投稿データを前記作業者端末に送信する投稿データ送信手段を備え、
ることを特徴とする請求項８記載の進捗管理システム。
【請求項１０】
前記サーバとデータの送受を行う機能を有する管理者端末を備え、
前記管理者端末は、前記作業工程データを作成するための、その作業工程の名称のデータ、並びに、その作業工程に関連づけられた一又は複数の前記代表工程データを作成するための、名称のデータ及び期間のデータを含む条件データを作成して前記サーバに送信するための条件データ作成送信手段と、
前記送信した条件データに基づいて前記サーバが作成した前記工程表データを前記サーバから受信して画面に表示するための工程表データ表示手段と、を備え、
前記サーバは、
前記管理者端末から送信された前記条件データを用いて、前記工程表データを作成し、作成した前記工程表データを前記記憶手段に記憶する工程表データ作成手段を備えることを特徴とする請求項８又は９記載の進捗管理システム。
【請求項１１】
前記工程表データは、前記代表工程の一つしてＱＲ代表工程データを含むものであり、前記ＱＲ代表工程データはその名称のデータと期間のデータとを有し、
前記記憶手段には、前記ＱＲ代表工程データに関連付けられて、多次元コードと、その多次元コードに記録されたＵＲＬデータとが記憶されており、
前記サーバは、
前記作業者端末から送信される、前記ＱＲ代表工程データに関連付けられた公開投稿データを当該ＱＲ代表工程データの前記ＵＲＬデータと関連づけて前記記憶手段に記憶する公開投稿データ格納手段と、
前記記憶手段に記憶する前記ＵＲＬデータと関連付けて記憶している前記公開投稿データを前記ＵＲＬのサイトで公開して管理するサイト管理手段と、を備え、
前記作業者端末は、
前記操作画面を用いて、その入力欄に入力したテキストデータ及び（又は）撮像手段によって撮像された画像データと、位置データ取得手段で取得した位置データと、日付データとを含む前記公開投稿データを作成するための公開投稿データ作成手段と、
前記操作画面を用いて、前記作成した公開投稿データを、どの前記ＱＲ代表工程データに関連付けて前記記憶手段に記憶するのかを示す格納情報データと共に前記サーバに送信するための公開投稿データ送信手段と、を備えることを特徴とする請求項８、９又は１０記載の進捗管理システム。
【請求項１２】
前記作業者端末は、前記操作画面を用いて、前記サーバから送られた前記ＱＲ代表工程データを用いて、その前記ＱＲ代表工程データに関連付けられている前記公開投稿データの送信を前記サーバに要求し、前記サーバから対応する前記公開投稿データを取得して表示する第一公開投稿データ取得表示手段を備え、
前記サーバは、前記作業者端末から、前記操作画面を用いて、当該サーバが送った前記ＱＲ代表工程データを用いて、その前記ＱＲ代表工程データに関連付けられている前記公開投稿データの送信を要求されると、対応する前記公開投稿データを前記記憶手段から読み出して前記作業者端末に送信する公開投稿データ送信手段を備えことを特徴とする請求項１１に記載の進捗管理システム。
【請求項１３】
前記作業者端末は、前記多次元コードを印刷した画像を撮像して得られた前記多次元コードに関連付けられている前記公開投稿データの送信を前記サーバに要求し、前記サーバから対応する前記公開投稿データを、前記ＱＲ代表工程データと共に取得して画面に表示する第二公開投稿データ取得表示手段を備え、
前記サーバは、前記作業者端末から、前記多次元コードを印刷した画像を撮像して得られた前記多次元コードに関連付けられている前記公開投稿データの送信を要求されると、対応する前記公開投稿データとその公開投稿データに関連付けられている前記ＱＲ代表工程データを前記記憶手段から読み出して前記作業者端末に送信する公開投稿データ送信手段を備えていることを特徴とする請求項１１記載の進捗管理システム。
【請求項１４】
前記管理者端末は、前記多次元コードを設定するための、前記ＱＲ代表工程データと、そのＱＲ代表工程データと関連付けられている前記多次元コードと、その多次元コードに記録されている前記ＵＲＬデータとを含む設定データを前記サーバに送信する多次元コード設定送信手段を備え、
前記サーバは、前記管理者端末から前記設定データを受領すると、その設定データに基づいて、前記公開投稿データを前記ＵＲＬデータに関連付けて前記記憶手段に記憶するための領域を確定するＵＲＬ用格納領域確定手段を備えることを特徴とする請求項１１、１２又は１３記載の進捗管理システム。
【請求項１５】
前記管理者端末は、
前記サーバから前記ＱＲ代表工程データの前記ＵＲＬに関連付けられて前記記憶手段に記憶された前記公開投稿データを、その公開投稿データと関連付けられている前記ＱＲ代表工程データ及び前記多次元コードと共に取得して画面に表示するための公開投稿データ取得表示手段と、
前記公開投稿データを前記サイトで公開するか否かを定めた公開可否決定データを前記サーバに送信するための公開可否決定データ送信手段と、を備え、
前記サーバの前記サイト管理手段は、前記管理者端末からの前記公開可否決定データを前記公開投稿データに関連付けて前記記憶手段に記憶させ、前記サイトに前記公開投稿データを公開するときに、前記公開可否決定データを参照して公開が認められている前記公開投稿データを前記サイトで公開することを特徴とする請求項１１乃至１４の何れか１項に記載の進捗管理システム。
【請求項１６】
前記代表工程データには、名称のデータと期間のデータとを有する少なくとも一つの詳細工程データが関連付けられており、
前記格納情報データは前記投稿データを、どの詳細工程データと関連付けて前記記憶手段に記憶するのかを示すデータを含むことを特徴とする請求項８乃至１５の何れか１項に記載の進捗管理システム。
【請求項１７】
前記代表工程データには、名称のデータと期間のデータとを有する少なくとも一つの詳細工程データが関連付けられており、
前記作業者端末の前記投稿データ取得表示手段は、前記操作画面を用いて、前記詳細工程データに関連付けられている前記投稿データの送信を前記サーバに要求し、前記サーバから対応する前記投稿データを取得して画面に表示するものであることを特徴とする請求項９乃至１６の何れか１項に記載の進捗管理システム。
【請求項１８】
前記管理者端末は、前記サーバの前記記憶手段に記憶されている前記工程表データが有するテキストデータを対象にしてキーワードを用いて検索するための検索手段と、前記検索手段によって検索した結果を画面に表示する検索結果表示手段と、を備えることを特徴とする請求項９乃至１７の何れか１項に記載の進捗管理システム。
【発明の詳細な説明】
【技術分野】
【０００１】
本発明は、進捗管理システムに関し、例えば、マンション等の建築物件などの進捗を管理する進捗管理システムに関する。
【背景技術】
【０００２】
例えば、建築物の完成までには、コンクリート基礎の打設、配筋、左官工事、給排水管の敷設、内装、板金加工といった細分化された様々な作業工程を経ることが必要であり、それら個々の作業は、個々の専門の現場作業員により分担される。
【０００３】
そして、これら各作業を分担する現場作業員は、現場監督等が決めた進捗工程表に沿って各工程を進行したり、必要な資材を建設現場に搬入したりしていくものであるが、各作業を担当する現場作業員がその進捗工程表の内容を十分に把握していないことから、作業の進行に支障をきたすことが少なくない。特に、その進捗工程表の内容に変更が生じた場合には、その変更点に迅速、柔軟に対応することが困難である。
このような状況を避け、建築工事を効率よく進行するためには、これら複数の現場作業員個々が建設工事の進捗工程表の内容を常に把握するとともに、それら各現場作業員による作業の進捗状況を管理することが必要である。
【０００４】
上記のような建築工事のスケジュール及び進捗状況を管理するものとして、特許文献１に開示される建設資材の現場搬入管理システムが提案されている。
この建設資材の現場搬入管理システムは、建設資材を建設現場へ搬入する際のスケジュールを管理するものであり、搬入スケジュール及びそのスケジュールの変更点等を建設現場の現場作業員が使用する携帯電話等の端末に送信し、いち早く知らせるように構成されている。
このように、近年あらゆる層に急速に普及し、比較的操作が簡単な携帯電話等を利用して搬入スケジュールの連絡を行うことにより、全ての現場作業員が搬入スケジュールを容易に確認することが可能となる。従って、各作業を担当する現場作業員が、他の現場作業員の搬入予定を無視して勝手に搬入したり、資材搬入担当の現場作業員が不在の際に資材が搬送されたりすることがなくなり、効率の良い資材搬入が可能となる。
【先行技術文献】
【特許文献】
【０００５】
【特許文献１】特開２００８−１５８９２０
【発明の概要】
【発明が解決しようとする課題】
【０００６】
しかしながら、前述の特許文献１に開示される建設資材の現場搬入管理システムでは、その建築工事のスケジュールを確認するものとして携帯電話を使用しているがゆえに問題点もある。その問題点とは、携帯電話はその名の通り携帯が可能な端末であるので、建築現場のあらゆる場所でいつでも簡単に進捗工程表や搬入スケジュール等を確認することができるという利点がある一方、ＣＰＵやメモリのスペックが一般的なＰＣに比べて劣ることから、画面表示能力やインストールできるソフトウェアに制約があるという点である。
従って、建築工事の工程全体を示す進捗工程表や複雑な搬入スケジュールといった大容量のデータを表示することが困難となる場合がある。特に、マンション等大規模な建築物が建築対象である場合には、その工事に携わる作業員数や工程数も膨大なものとなり、上記の進捗工程表や複雑な搬入スケジュールのデータの大容量化は避けようがない。
以上のように、特許文献１に開示される建設資材の現場搬入管理システムでは、建築現場で確認可能な情報が制限されることから、現場作業員が作業スケジュールを完全に把握するのが困難であり、このことが工事の進行の障害となるおそれがある。
【０００７】
本発明は、上記問題点に鑑みてなされたものであり、例えば、建設工事の進捗工程表や建築資材の搬入スケジュールといった複雑かつ大容量のデータを建築現場で容易に確認して円滑な建築作業の進行を実現する進捗管理システムを提供することを目的とする。
また、本発明は、多数の工程を有する進捗工程表に基づいて、大容量のデータを管理する際に、各々の現場で円滑な作業の進行を実現することができる進捗管理システムを提供することを目的とする。
【課題を解決するための手段】
【０００８】
かかる目的を達成するため、本発明は建築工事の進捗を管理する進捗管理システムであって、建築工事における各工程のスケジュールが示された工程表データを格納するとともに、工程表データを汎用性の高いデータ形式に変換し、変換した工程表データを送信する進捗管理サーバと、建築現場で作業を行う現場作業員により操作されるものであって送信された変換後の工程表データを受信し、その受信した変換後の工程表データの表示を行う現場作業員端末とを有することを特徴とする。
【０００９】
また、本発明によれば、その進捗管理サーバは、工程表データのデータ形式をＣＳＶなどテキストデータに変換し、XMLファイルにより通信させることを特徴とする。
【００１０】
また、本発明における進捗管理システムは、建築工事を監督する現場監督により操作される現場監督端末をさらに有し、現場監督端末又は現場作業員端末は、緊急に連絡すべき事項及び送信先を示す緊急連絡情報を入力して進捗管理サーバへ送信し、進捗管理サーバは、緊急連絡情報を受信すると、送信先の端末の待受画面又はデスクトップ画面において緊急に連絡すべき事項のテロップによる表示を要求する旨情報を、送信先の端末へ送信することを特徴とする。
【００１１】
また、本発明によれば、現場作業員端末は、建築資材の搬入予定を示す情報を進捗管理サーバへ送信し、進捗管理サーバは、搬入予定を示す情報を登録して、資材搬入スケジュールデータとして管理することを特徴とする。
【００１２】
また、本発明によれば、その現場作業員端末は、資材搬入スケジュールデータにおいて既に搬入予約済みの時期に建築資材を搬入予定であることを示す情報を進捗管理サーバへ送信し、進捗管理サーバは、既に搬入予約済みの時期に搬入予定であることを示す情報を受信すると、時期における搬入の予約内容を示す搬入予約情報を現場作業員端末へ送信することを特徴とする。
【００１３】
また、本発明によれば、現場作業員端末は、搬入予約情報を受信すると、自機の画面上に表示し、表示された搬入予約情報の画面情報上には電話番号を示すアイコンが表示され、現場作業員端末が電話番号を示すアイコンを選択すると、既に搬入予約済みの現場作業員の現場作業員端末に自動発呼することを特徴とする。
【００１４】
また、本発明によれば、現場作業員端末は、搬入予約情報を受信すると、自機の画面上に表示し、現場作業員端末は、搬入予約情報上には電子メール本文の入力欄及び電子メールの送信アイコンが表示され、現場作業員端末が、入力欄にテキストデータを入力し、送信アイコンを選択すると、入力されたテキストデータを本文とする電子メールが既に搬入予約済みの現場作業員の現場作業員端末に自動送信されることを特徴とする。
【００１５】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【００１６】
また、上記の目的を達成するための本発明は、一又は複数の代表工程データを有する作業工程を少なくとも一つ含む工程表データを記憶して管理するサーバと、サーバとデータの送受を行う機能を有する作業者端末とを備える進捗管理システムであって、サーバは、作業者端末から送信される投稿データを、その投稿データに対応する代表工程データと作業工程データに関連づけて記憶手段に記憶する投稿データ格納手段と、作業者端末からの要求に応じて、作業者端末で、データの送受を行うための操作画面を表示するのに必要な操作画面データを、記憶手段に記憶する工程表データに基づいて作成して作業者端末に送信する端末操作画面作成手段と、を備え、作業者端末は、サーバから操作画面データを受信して、操作画面を表示するための操作画面表示手段と、操作画面を用いて、その入力欄に入力したテキストデータ及び（又は）撮像手段によって撮像された画像データと、位置データ取得手段で取得した投稿データを作成する際の位置データと、日付データとを含む投稿データを作成するための投稿データ作成手段と、操作画面を用いて、作成した投稿データを、どの作業工程データのどの代表工程データと関連付けて記憶手段に記憶するのかを示す格納情報データと共にサーバに送信するための投稿データ送信手段と、を備えることを特徴とする。
【００１７】
また、作業者端末は、操作画面を用いて代表工程データに関連付けられている投稿データの送信をサーバに要求し、サーバから対応する投稿データを取得して画面に表示する投稿データ取得表示手段を備え、サーバは、作業者端末から、操作画面を用いて、代表工程データに関連付けられている投稿データの送信を要求されると、対応する投稿データを記憶手段から読み出して、その投稿データを作業者端末に送信する投稿データ送信手段を備えることを特徴とする。
【００１８】
また、サーバとデータの送受を行う機能を有する管理者端末を備え、管理者端末は、作業工程データを作成するための、その作業工程の名称のデータ、並びに、その作業工程に関連づけられた一又は複数の代表工程データを作成するための、名称のデータ及び期間のデータを含む条件データを作成してサーバに送信するための条件データ作成送信手段と、送信した条件データに基づいてサーバが作成した工程表データをサーバから受信して画面に表示するための工程表データ表示手段と、を備え、サーバは、管理者端末から送信された条件データを用いて、工程表データを作成し、作成した工程表データを記憶手段に記憶する工程表データ作成手段を備えることを特徴とする。
【００１９】
また、工程表データは、代表工程の一つしてＱＲ代表工程データを含むものであり、ＱＲ代表工程データはその名称のデータと期間のデータとを有し、記憶手段には、ＱＲ代表工程データに関連付けられて、多次元コードと、その多次元コードに記録されたＵＲＬデータとが記憶されており、サーバは、作業者端末から送信される、ＱＲ代表工程データに関連付けられた公開投稿データを当該ＱＲ代表工程データのＵＲＬデータと関連づけて記憶手段に記憶する公開投稿データ格納手段と、記憶手段に記憶するＵＲＬデータと関連付けて記憶している公開投稿データをＵＲＬのサイトで公開して管理するサイト管理手段と、を備え、作業者端末は、操作画面を用いて、その入力欄に入力したテキストデータ及び（又は）撮像手段によって撮像された画像データと、位置データ取得手段で取得した位置データと、日付データとを含む公開投稿データを作成するための公開投稿データ作成手段と、操作画面を用いて、作成した公開投稿データを、どのＱＲ代表工程データに関連付けて記憶手段に記憶するのかを示す格納情報データと共にサーバに送信するための公開投稿データ送信手段と、を備えることを特徴とする。
【００２０】
また、作業者端末は、操作画面を用いて、サーバから送られたＱＲ代表工程データを用いて、そのＱＲ代表工程データに関連付けられている公開投稿データの送信をサーバに要求し、サーバから対応する公開投稿データを取得して表示する第一公開投稿データ取得表示手段を備え、サーバは、作業者端末から、操作画面を用いて、当該サーバが送ったＱＲ代表工程データを用いて、そのＱＲ代表工程データに関連付けられている公開投稿データの送信を要求されると、対応する公開投稿データを記憶手段から読み出して作業者端末に送信する公開投稿データ送信手段を備えことを特徴とする。
【００２１】
また、作業者端末は、多次元コードを印刷した画像を撮像して得られた多次元コードに関連付けられている公開投稿データの送信をサーバに要求し、サーバから対応する公開投稿データを、ＱＲ代表工程データと共に取得して画面に表示する第二公開投稿データ取得表示手段を備え、サーバは、作業者端末から、多次元コードを印刷した画像を撮像して得られた多次元コードに関連付けられている公開投稿データの送信を要求されると、対応する公開投稿データとその公開投稿データに関連付けられているＱＲ代表工程データを前記記憶手段から読み出して作業者端末に送信する公開投稿データ送信手段を備えていることを特徴とする。
【００２２】
また、管理者端末は、多次元コードを設定するための、ＱＲ代表工程データと、そのＱＲ代表工程データと関連付けられている多次元コードと、その多次元コードに記録されているＵＲＬデータとを含む設定データをサーバに送信する多次元コード設定送信手段を備え、サーバは、管理者端末から設定データを受領すると、その設定データに基づいて、公開投稿データをＵＲＬデータに関連付けて記憶手段に記憶するための領域を確定するＵＲＬ用格納領域確定手段を備えることを特徴とする。
【００２３】
また、管理者端末は、サーバからＱＲ代表工程データのＵＲＬに関連付けられて記憶手段に記憶された公開投稿データを、その公開投稿データと関連付けられているＱＲ代表工程データ及び多次元コードと共に取得して画面に表示するための公開投稿データ取得表示手段と、公開投稿データをサイトで公開するか否かを定めた公開可否決定データをサーバに送信するための公開可否決定データ送信手段と、を備え、サーバのサイト管理手段は、管理者端末からの公開可否決定データを公開投稿データに関連付けて記憶手段に記憶させ、サイトに公開投稿データを公開するときに、公開可否決定データを参照して公開が認められている公開投稿データをサイトで公開することを特徴とする。
【００２４】
また、代表工程データには、名称のデータと期間のデータとを有する少なくとも一つの詳細工程データが関連付けられており、格納情報データは投稿データを、どの詳細工程データと関連付けて記憶手段に記憶するのかを示すデータを含むことを特徴とする。
【００２５】
また、代表工程データには、名称のデータと期間のデータとを有する少なくとも一つの詳細工程データが関連付けられており、作業者端末の投稿データ取得表示手段は、操作画面を用いて、詳細工程データに関連付けられている投稿データの送信をサーバに要求し、サーバから対応する投稿データを取得して画面に表示するものであることを特徴とする。
【００２６】
また、管理者端末は、サーバの記憶手段に記憶されている工程表データが有するテキストデータを対象にしてキーワードを用いて検索するための検索手段と、検索手段によって検索した結果を画面に表示する検索結果表示手段と、を備えることを特徴とする。
【発明の効果】
【００２７】
本発明における進捗管理システムは、建築工事における各工程のスケジュールが示された工程表データを格納するとともに、工程表データを汎用性の高いデータ形式に変換し、変換した工程表データを送信する進捗管理サーバと、建築現場で作業を行う現場作業員により操作されるものであって送信された変換後の工程表データを受信し、その受信した変換後の工程表データの表示を行う現場作業員端末とを有して構成されるので、現場作業員端末にＣＰＵの性能やメモリの容量等の制約があり、インストール可能なソフトウェアに制限がある場合であっても、建築工事の工程表を容易に閲覧することが可能となる。
また、本発明の進捗管理システムによれば、画像データやテキストデータを有する投稿データを、所定の代表工程データや所定の詳細工程データに関連付けて登録するので、サーバは多数の作業工程を有する工程表データと大容量の投稿データとを一元管理することができる。これにより、サーバは、大容量のデータを迅速に処理して作業者端末に送ることができるので、各々の現場で円滑な作業の進行を実現することができる。また、作業者は、作業者端末を用いて、サーバから送信される操作画面を見ながら、投稿データをサーバに送るので、例えば、操作画面で作業工程や代表工程を表示し、サーバに送る投稿データがどの作業工程の、どの代表工程に関するものであるかを確認しながら、投稿データをサーバに送信することができる。したがって、作業者は作業者端末の操作画面で作業工程や代表工程を容易に確認することができる。
【図面の簡単な説明】
【００２８】
【図１】本発明の実施の形態における進捗管理システムの構成を示す図である。
【図２】本発明の実施の形態における工程表データの作成動作の流れを示すシーケンスチャートである。
【図３】本発明の実施の形態における作成動作により作成された工程表データの一例を示す図である。
【図４】本発明の実施の形態において、現場作業員端末を用いて工程表データを閲覧するときの進捗管理システムによる動作の流れを示すシーケンスチャートである。
【図５】本発明の実施の形態において、現場作業員端末において表示される工程表データ閲覧用の基本画面の一例を示す図である。
【図６】本発明の実施の形態における工程表データの一例を示す画面図であって、エクセル等の汎用の表計算ソフトウェアにより表示されたものである。
【図７】本発明の実施の形態における表示切替を行った工程表の一例を示す図である。
【図８】本発明の実施の形態における現場作業員端末において表示される工程表を表す変換工程表データの一例を示す図であって、ＣＳＶデータを表データ形式により表したものである。
【図９】本発明の実施の形態における現場作業員端末において表示される工程表を表す変換工程表データの一例を示す図であって、ＣＳＶデータをテキストデータ形式により表したものである。
【図１０】本発明の実施の形態において、工程表データへの追記動作の流れを示すシーケンスチャートである。
【図１１】本発明の実施の形態における詳細工程情報の一例を示す画面図である。
【図１２】本発明の実施の形態における現場監督端末において表示される所定の詳細工程情報の一例を示す画面図である。
【図１３】本発明の実施の形態において、連絡掲示板を利用時における進捗管理システムによる動作の流れを示すシーケンスチャートである。
【図１４】本発明の実施の形態における連絡掲示板の一例を示す画面図である。
【図１５】本発明の実施の形態において、現場監督が緊急連絡情報を進捗管理サーバに登録するときの動作の流れを示すシーケンスチャートである。
【図１６】本発明の実施の形態における現場関係者データベースの一例を示す画面図である。
【図１７】本発明の実施の形態における緊急連絡情報の入力・送信用の画面情報の一例を示す図である。
【図１８】本発明の実施の形態における緊急連絡情報の送信先の設定画面の一例を示す図である。
【図１９】本発明の実施の形態における緊急連絡情報を受信した現場作業員端末の待受画面の一例を示す図である。
【図２０】本発明の実施の形態における資材搬入スケジュールデータの管理動作の流れを示すシーケンスチャートである。
【図２１】本発明の実施の形態において、現場作業員端末に表示される月単位の資材搬入スケジュールデータの一例を示す画面図である。
【図２２】本発明の実施の形態における日単位の資材搬入スケジュールデータの一例を示す画面図である。
【図２３】本発明の実施の形態における搬入予約情報の一例を示す画面図である。
【図２４】本発明の実施の形態において、現場監督端末で表示される資材搬入スケジュールデータの一例を示す画面図である。
【図２５】本発明の第二実施形態である進捗管理システムの概略構成を示す図である。
【図２６】第二実施形態におけるスタッフ端末の初期登録動作の流れを示すシーケンスチャートである。
【図２７】第二実施形態における工程表データの作成動作の流れを示すシーケンスチャートである。
【図２８】第二実施形態において、工程表データの作成動作により作成された工程表データの一例を示す図である。
【図２９】第二実施形態におけるスタッフ端末の画面上に表示される操作画面を示す図である。
【図３０】第二実施形態において、スタッフ端末を用いて代表工程画面を表示するときの進捗管理システムによる動作の流れを示すシーケンスチャートである。
【図３１】第二実施形態において、スタッフ端末を用いて工程表データを閲覧するときの進捗管理システムによる動作の流れを示すシーケンスチャートである。
【図３２】第二実施形態において、スタッフ端末において表示される工程表の一例を示す画面であって、エクセル等の汎用の表計算ソフトウェアにより表示されたものである。
【図３３】第二実施形態において、投稿データを詳細工程データに関連付けて工程表データへ追記する動作の流れを示すシーケンスチャートである。
【図３４】第二実施形態において、投稿データをＱＲ詳細工程データに関連付けて工程表データへ追記する動作の流れを示すシーケンスチャートである。
【図３５】第二実施形態において、スタッフがＱＲコードの撮影画像を用いて投稿データをＱＲ詳細工程データに関連付けて工程表データへ追記する動作の流れを示すシーケンスチャートである。
【発明を実施するための形態】
【００２９】
［第一実施形態］
＜概要＞
一般に、家屋や集合住宅等の建築を行う際には、大手建設会社の社員等である現場監督が、コンクリート基礎の養生、塗装といった個々の作業を行う複数の現場作業員を監督して建築工事全体を進めていく。
本発明の実施の形態における進捗管理システムは、建築工事の進捗を管理するとともに、それら現場監督及び現場作業員に対し建築工事の各工程の内容や連絡事項等に関する情報を迅速かつ確実に提供することで、建築工事全体を円滑に進めることを可能とするものである。
以下、本実施の形態における進捗管理システムの構成及び動作について、図を用いながら説明を進める。
【００３０】
＜構成＞
図１は、本発明の実施の形態における進捗管理システムの構成を示す図である。以下、図を用いて、その進捗管理システムの構成について説明を進める。
図に示すように、進捗管理システムは、建築工事における施工の進捗を管理する進捗管理サーバ１０と、その建築工事の現場監督により操作され、その建築工事の進捗状況等の管理を行う現場監督端末２０と、その建築工事の現場作業員により操作され、その建築工事における施工の工程表等を表示可能な現場作業員端末３０と、前述の進捗管理サーバ１０において管理される各データへのアクセス権限を管理するアクセス権限設定端末４０とを有して構成される。
【００３１】
進捗管理サーバ１０は、ゼネコン等の建築物の建築を総合的に請負う建設会社等からの依頼により、建築工事の進捗管理を行う進捗管理事業者により管理される情報処理装置である。また、この進捗管理サーバ１０は、図に示すように、現場監督、現場作業員、資材搬入業者等（以下、これらを総称して現場関係者という。）の氏名や所属等をＩＤに対応付けて管理する現場関係者データベースと、建築工事における各工程のスケジュールを示す工程表データと、現場関係者がコメントや画像を掲載して互いに連絡を取り合う連絡掲示板のデータである連絡掲示板データと、現場関係者間で緊急に連絡を取り合うべき事項を示す緊急連絡情報と、建築現場への資材搬入のスケジュールを示す資材搬入スケジュールデータとを蓄積し管理する。
【００３２】
さらに、進捗管理サーバ１０は、これら進捗管理サーバ１０で管理される各データへの書込み・閲覧等のアクセス権限を示すアクセス権限データについても蓄積し管理を行う。
進捗管理サーバ１０は、このアクセス権限データで設定されるアクセス権限に従って、アクセスしてきた現場監督又は現場作業員からの要求に応じて、前述の各データの書込み又は閲覧を許可する。
このアクセス権限データは、前述のアクセス権限設定端末４０又は現場監督端末２０により設定することができる。
【００３３】
現場監督端末２０は、ゼネコン等の建築物の建築を総合的に請負う建設会社の社員等である現場監督により操作される情報処理端末であって、いわゆるＰＣや、携帯電話機又はＰＤＡ等の携帯端末である。この現場監督端末２０は、一般的なＰＣ等と同様の機能、すなわち計算、記憶、ネットワークを介しての情報の送受信、情報の表示等の各処理を行う機能を備えるものである。
この現場監督端末２０は、当該現場監督が担当する建築工事の工程表データを作成し、進捗管理サーバ１０に登録する。この登録された工程表データは、現場監督端末２０及び現場作業員端末３０からのアクセスに応じて進捗管理サーバ１０から送信される。
また、現場監督端末２０は、進捗管理サーバ１０が管理する前述の連絡掲示板に連絡事項を書き込んだり、緊急連絡情報を進捗管理サーバ１０に登録したりすることにより、現場関係者との間で緊密に連絡をとることができるようになっている。
さらに、現場監督端末２０は、前述のアクセス権限データを進捗管理サーバ１０に送信し登録する。これにより、進捗管理サーバ１０で管理される工程表データ、連絡掲示板、緊急連絡情報又は資材搬入スケジュールデータ等の閲覧・書込みを可能な人物を制限することができる。
【００３４】
現場作業員端末３０は、建築工事における各工程（基礎、造作、電気設備、塗装など）を担当する現場作業員により操作される情報処理装置であって、携帯電話機、ＰＨＳ、ＰＤＡ又ノートブック型ＰＣ等の携帯端末であり、好ましくは建築現場で容易に操作可能な携帯電話機である。この現場作業員端末３０は、一般的な携帯電話機等と同様の機能、すなわち通話、計算、記憶、ネットワークを介しての情報の送受信、情報の表示等の各処理を行う機能を備えるものである。
この現場作業員端末３０は、現場作業員個人が所有又は建設会社等から配布されるものであって、好ましくは、現場作業員１人が１台所有又は配布される。
現場作業員は、現場作業員端末３０を操作し、工程表データ等を進捗管理サーバ１０から受信して画面上に表示させ、自身が担当する作業スケジュールをどこにいても容易に確認することができるようになっている。
また、現場作業員は、現場作業員端末３０を操作して、現場監督と同様に、前述の連絡掲示板への書込み・閲覧、緊急連絡情報の書込み・閲覧を行うことができる。
さらに、現場作業員は、現場作業員端末３０を操作して、自身が担当する作業において必要な資材の搬入を希望する時期を、資材搬入スケジュールデータとして進捗管理サーバ１０に登録することができる。
【００３５】
アクセス権限設定端末４０は、前述の進捗管理事業者により管理される情報処理装置である。進捗管理事業者は、アクセス権限設定端末４０を操作して、アクセス権限データを入力し、進捗管理サーバ１０へ送信して登録することにより、進捗管理サーバ１０で管理される前述の各データの閲覧・書込みを制限することができる。
【００３６】
＜動作＞
次に、本実施の形態における進捗管理システムによる動作について説明する。
【００３７】
（１）工程表データの作成動作
（動作の流れの説明）
図２は、本発明の実施の形態における工程表データの作成動作の流れを示すシーケンスチャートである。以下、図に沿って、本動作を説明する。
【００３８】
まず、現場監督は、現場監督端末２０を操作して、自身が担当する建築物件の条件を入力し、進捗管理サーバ１０へ送信する（ステップＳ１０１）。ここで入力する建築物件の条件は、例えば、用途、構造、階数、敷地面積、基準階面積などである。
【００３９】
進捗管理サーバ１０は、その建築物件の条件のデータを現場監督端末２０から受信すると、その受信データに示される条件に基づいて、建築物件の工程表を示すデータ（工程表データ）を作成する（ステップＳ１０２）。この工程表データには、建築工事において行われる工程、その工程の担当現場作業員、工程の行われる時期等が書き込まれている。
進捗管理サーバ１０は、この作成した工程表データを自機内に蓄積する。また、進捗管理サーバ１０は、この作成した工程表データを現場監督端末２０へ送信する（ステップＳ１０３）。
【００４０】
現場監督端末２０は、その作成された工程表データを進捗管理サーバ１０から受信すると、画面上に表示する（ステップＳ１０４）。
現場監督は、その画面上に表示された工程表データを確認し、部分的に修正・変更を希望する場合には（ステップＳ１０５／Ｙｅｓ）、現場監督端末２０を用いて、その修正・変更する旨のデータを進捗管理サーバ１０へ送信する。（ステップＳ１０６）。
進捗管理サーバ１０は、その修正・変更する旨のデータを現場監督端末２０から受信すると、その修正・変更する旨のデータに基づいて、前述の自機内に蓄積済みの工程表データを変更するとともに（ステップＳ１０７）、その変更した工程表データを現場監督端末２０へ送信する（ステップＳ１０８）。
現場監督端末２０は、その変更した工程表データを進捗管理サーバ１０から受信すると、画面上に表示する（ステップＳ１０９）。
現場監督は、上記のように工程表データの修正・変更を繰り返すことにより、工程表データを作成する。現場監督端末２０は、進捗管理サーバ１０から受信した工程表データを自機内に蓄積する。その後、現場監督は、この蓄積した工程表データを読み出して確認することができる。また、現場監督端末２０を用いて、工程表データの取得を進捗管理サーバ１０に対して要求することにより、受信し、表示させることもできる。
【００４１】
このように、現場監督は、自身が担当する建築物件の条件を入力するだけで容易に工程表を作成することができるので、工程表作成に要する時間を大幅に短縮することが可能となる。
【００４２】
（画面情報の説明）
次に、前述の工程表データの作成動作における画面情報について説明する。
図３は、その作成動作により作成された工程表データの一例を示す図である。
図に示すように、この工程表データには、建築工事において行われる工程、その工程が行われる場所（階数）、工程の行われる時期等が示されている。
現場監督は、現場監督端末２０を用いて、その工程表データを閲覧することにより、自身の担当する建築工事の施工スケジュールを一目で確認することができるようになっている。
【００４３】
（２）現場作業員端末３０による工程表データの閲覧動作
（動作の流れの説明）
現場作業員は、前述のように進捗管理サーバ１０に蓄積された工程表データを現場作業員端末３０を用いて閲覧することができる。
図４は、その現場作業員端末３０を用いて工程表データを閲覧するときの進捗管理システムによる動作の流れを示すシーケンスチャートである。以下、本図に沿って説明を進める。
【００４４】
まず、現場作業員は、建築現場等で工程表データを確認する際、現場作業員端末３０を操作して、現場作業員自身のＩＤとともに工程表データの閲覧を要求する旨の情報を進捗管理サーバ１０へ送信する（ステップＳ２０１）。
【００４５】
進捗管理サーバ１０は、前述の現場作業員のＩＤ及び工程表データの閲覧要求情報を受信すると、自機内に蓄積されている工程表データのうち、そのＩＤに該当する工程表データを選択する（ステップＳ２０２）。
次に、進捗管理サーバ１０は、その選択した工程表データを、簡易な仕様の端末でも表示可能なように、汎用性の高いデータ形式にデータ変換処理を行う（ステップＳ２０３）。この汎用性の高いデータ形式としては、例えば、ＣＳＶ（Ｃｏｍｍａ−Ｓｅｐａｒａｔｅｄ  Ｖａｌｕｅｓ）データ、テキストデータ、エクセル等の表計算ソフトウェアのデータ方式等があげられる。
そして、進捗管理サーバ１０は、そのデータ変換処理をして工程表データ（以下、変換工程表データという）を現場作業員端末３０へ送信する（ステップＳ２０４）。
【００４６】
現場作業員端末３０は、その変換工程表データを進捗管理サーバ１０から受信すると、その変換工程表データを自機内にインストールされている表示用ソフトウェアにより読み込んで画面上に表示する（ステップＳ２０５）。
この表示用ソフトウェアとしては、例えば、ドキュメントビューア等の携帯電話機でエクセル等を閲覧するためのソフトウェア、その他ＣＳＶ又はテキストデータを表示可能な簡易な表示用ソフトウェア、又はこれら変換工程表データのデータ形式をさらにＨＴＭＬ等に変換して表示するソフトウェア等があげられる。
そして、現場作業員は、その画面上に表示された（変換）工程表データを閲覧して、作業日程等を確認する。
【００４７】
このように、進捗管理サーバ１０は、工程表データをデータ量が圧縮され、かつ汎用性の高いデータ形式に変換した後に現場作業員端末３０へ送信するので、現場作業員端末３０にＣＰＵの性能やメモリの容量等に制約があり、インストール可能なソフトウェアに制限がある場合であっても、建築工事の工程表を容易に閲覧することが可能となる。
【００４８】
（画面情報の説明）
次に、前述の現場作業員端末３０による工程表データの閲覧動作における画面情報について説明する。
図５は、現場作業員端末３０において表示される、工程表データ閲覧用の基本画面の一例を示す図である。
現場作業員は、この工程表データ閲覧用の基本画面を現場作業員端末３０の画面上に表示させた後、この画面上の「工程表」アイコンを選択することにより、工程表データを表示させることができる。
図６は、その表示される工程表の一例を示す画面図であって、エクセル等の汎用の表計算ソフトウェアにより表示されたものである。ここで表示される（変換）工程表データは、図３に示される現場監督端末２０において表示されるものと比べて表示形式が簡略化され、データ量が削減されている。
【００４９】
また、現場作業員は、画面上の「表示切替」アイコンを選択することにより、図６に示される工程表の表示形式を切り替えることができる。
図７は、表示切替を行った工程表の一例を示す図である。
図に示すように、この工程表では、「ＡＷ（アルミウインドウ）」、「造作」、「キッチン」等各作業業種別のスケジュールが示されており、現場作業員は、自身の担当作業ごとのスケジュールを容易に確認することができるようになっている。
【００５０】
図８，９は、その現場作業員端末３０において表示される工程表を表す変換工程表データの一例を示す図であって、それぞれＣＳＶデータを表データ形式又はテキストデータ形式により表したものである。このように汎用性に富んだデータ形式に変換して現場作業員端末３０へ送られることにより、現場作業員端末３０に実装されている表示用ソフトウェアが簡易なものであっても十分に表示可能となる。
【００５１】
（３）工程表データへの追記動作
（動作の流れの説明）
前述のように、現場作業員は、現場作業員端末３０を用いて、建築現場にて工程表データを確認することができる。次に、現場作業員が、現場作業員端末３０を用いて、その工程表データに対して現在の進捗状況を示す情報を追記する際の動作について説明する。
図１０は、その工程表データへの追記動作の流れを示すシーケンスチャートである。以下、本図に沿って、現場作業員が作業開始前に進捗状況を示す情報を追記する場合を例にあげて説明を進める。
【００５２】
まず、現場作業員は、建築現場に到着すると、現場作業員端末３０を用いて、作業開始前の建築現場の画像を撮影する（ステップＳ３０１）。この撮影画像のデータは、現場作業員端末３０に蓄積される。
次に、現場作業員は、前述のように、現場作業員端末３０を用いて、工程表データを画面上に表示させる（ステップＳ３０２）。
そして、現場作業員は、現場作業員端末３０を用いて、その工程表データ上に表示された自身の担当工程を選択し、その担当工程の詳細な情報（以下、詳細工程情報という）の取得を進捗管理サーバ１０へ要求する（ステップＳ３０３）。
【００５３】
次に、進捗管理サーバ１０は、その要求された工程の詳細工程情報を現場作業員端末３０へ送信する（ステップＳ３０４）。
【００５４】
現場作業員端末３０は、その工程の詳細工程情報を受信すると、画面上に表示する（ステップＳ３０５）。
次に、現場作業員は、現場作業員端末３０を用いて、その表示された自身の担当工程の詳細工程情報上の入力欄に、例えば「作業開始前」等のテキストデータを入力する（ステップＳ３０６）。
また、現場作業員は、現場作業員端末３０を用いて、前述の撮影した建築現場の画像データのパスを指定する等して、進捗管理サーバ１０へ送信する画像を選択する（ステップＳ３０７）。
そして、現場作業員端末３０は、上記のテキストデータ及び画像データを、前述の現場作業員の担当工程を示す情報とともに進捗管理サーバ１０へ送信する（ステップＳ３０８）。
【００５５】
進捗管理サーバ１０は、そのテキストデータ及び画像データを、工程表データにおいて該当する工程を示す情報に対応付けて自機内に蓄積する（ステップＳ３０９）。
【００５６】
以降、工程表データにおける該当詳細工程情報上に、そのテキストデータ及び画像データが進捗状況を示す情報として表示されるようになる。すなわち、本実施の形態においては、「作業開始前」というテキストデータとともにその作業開始前の建築現場の画像データが表示されることとなる。従って、現場監督及び現場作業員は、自身の端末２０，３０を用いて、作業工程の進捗状況を容易に確認することが可能となる。
【００５７】
（画面情報の説明）
次に、前述の工程表データへの追記動作における画面情報について説明する。
前述のように、現場作業員は、現場作業員端末３０を用いて、工程表データにおいて担当工程を選択することにより、その詳細工程情報を表示させることができる。
図１１は、その表示される詳細工程情報の一例を示す画面図である。
図に示すように、この詳細工程情報では、前述の追記動作により進捗状況を示すテキストデータ及び画像データが表示されており、現場作業員は、一目でその進捗状況を確認することができるようになっている。
【００５８】
また、現場監督は、現場監督端末２０を用いて、工程表データに表示されている所定の工程種別を選択することにより、その詳細工程情報を閲覧することができる。
図１２は、その現場監督端末２０において表示される所定の詳細工程情報の一例を示す画面図である。
図に示すように、この詳細工程情報においては、その作業工程における「建築現場名」、「工程数」、その作業全体を示す「代表工程」、その作業を構成する複数の「詳細工程」、「作業開始日」等が示されている。
さらに、その各詳細工程においては、前述の進捗状況を示す画像データが前述の追記動作により表示されるようになっており、現場監督は、各詳細工程における進捗状況を一目で確認することができるようになっている。
【００５９】
（４）連絡掲示板の閲覧・書込み動作
（動作の流れの説明）
また、現場監督及び現場作業員は、自端末２０，３０を用いて、進捗管理サーバ１０が管理する連絡掲示板を利用して、迅速に連絡を取り合うことができる。
図１３は、その連絡掲示板を利用時における進捗管理システムによる動作の流れを示すシーケンスチャートである。以下、本図に沿って、当該動作について説明を進める。
【００６０】
まず、現場監督は、現場監督端末２０を用いて、自身のＩＤとともに連絡掲示板へのアクセスを進捗管理サーバ１０に要求する（ステップＳ４０１）。
【００６１】
進捗管理サーバ１０は、その連絡掲示板へのアクセス要求を受信すると、その要求とともに受信したＩＤに基づいて認証を行う（ステップＳ４０２）。認証失敗の場合には（ステップＳ４０２／Ｎｏ）、そのまま処理を終了する。
一方、認証が成功した場合には（ステップＳ４０２／Ｙｅｓ）、そのＩＤに該当する現場等に係る連絡掲示板データを抽出し、現場監督端末２０へ送信する（ステップＳ４０３）。
【００６２】
現場監督端末２０は、その連絡掲示板データを受信すると、その受信した連絡掲示板データを画面上に表示する（ステップＳ４０４）。
この連絡掲示板（データ）は、その現場監督が担当している現場に関する電子掲示板であって、その現場監督自身及びその現場を担当している現場作業員による書込みが表示される。
現場監督は、その表示された連絡掲示板を確認し、現場作業員に連絡事項がある場合には、現場監督端末２０を用いて、所定の連絡事項を表すテキストデータや画像データを入力し（ステップＳ４０５）、自身のＩＤとともに進捗管理サーバ１０へ送信する（ステップＳ４０６）。
【００６３】
進捗管理サーバ１０は、その連絡事項を表すテキストデータや画像データを受信すると、その受信データの内容を、ともに受信したＩＤに該当する連絡掲示板データに追記して更新する（ステップＳ４０７）。
そして、進捗管理サーバ１０は、その更新された連絡掲示板データを現場監督端末２０へ送信する（ステップＳ４０８）。
【００６４】
現場監督端末２０は、その更新後の連絡掲示板データを受信すると、画面上に表示する（ステップＳ４０９）。この表示された更新後の連絡掲示板データには、前述の連絡事項が反映された状態となっている。
なお、本実施の形態では、現場監督が連絡掲示板の閲覧及び書込みを行う場合について説明したが、現場作業員が同様に閲覧及び書込みが可能であることはいうまでもない。
【００６５】
以上説明したように、現場監督及び現場作業員は、自身の端末２０，３０を用いて、進捗管理サーバ１０が管理する連絡掲示板データの閲覧又は書込みを行うことで、相互間の連絡事項を迅速かつ容易に伝え、確認することが可能となる。
特に、作業スケジュールを変更する場合や人員の不足により補充が必要な場合など、複数の現場関係者への連絡が必要な場合には有効である。
また、現場作業員は、携帯可能な現場作業員端末３０を用いて、その連絡掲示板の閲覧及び書込みが可能であるので、建築現場において作業中であっても迅速に対応することができる。
【００６６】
（画面情報の説明）
次に、前述の連絡掲示板の閲覧・書込み動作における画面情報について説明する。
図１４は、その連絡掲示板の一例を示す画面図である。
図に示すように、連絡掲示板においては、テキストデータ及び画像データにより書込みができるようになっており、現場関係者間で迅速に連絡を取り合うことが可能となっている。
【００６７】
（５）緊急連絡情報の通知動作
（動作の流れの説明）
次に、現場監督が、災害やトラブルの発生による資材の遅れや作業の中止・延期などの緊急に伝えなければならない事項（以下、緊急連絡情報という）を、現場作業員に連絡する場合における進捗管理システムによる動作について説明する。
図１５は、その現場監督が緊急連絡情報を進捗管理サーバ１０に登録するときの動作の流れを示すシーケンスチャートである。以下、本図に沿って説明を進める。
【００６８】
まず、現場監督は、現場監督端末２０を用いて、緊急連絡情報のタイトル及び本文を入力する（ステップＳ５０１）。例えば、このタイトルとして「現場進捗状況において」と入力し、本文として「本日台風の影響により資材の到着が遅れます」と入力する。
次に、現場監督は、現場監督端末２０を用いて、緊急連絡情報の送信先を入力する（ステップＳ５０２）。この送信先としては、送信先そのものを入力するようにしてもよいし、電気設備、キッチン、造作など担当作業グループを入力するようにしてもよい。
そして、現場監督端末２０は、それら入力されたタイトル、本文及び送信先を示す情報を進捗管理サーバ１０へ送信する（ステップＳ５０３）。
【００６９】
進捗管理サーバ１０は、それら緊急連絡情報のタイトル、本文及び送信先を示す情報を受信すると、そのタイトル及び本文を示す情報とともに、これらの情報を各現場作業員端末３０の待受画面においてテロップとして表示することを要求する旨の情報を、前述の送信先に該当する現場作業員端末３０へ送信する（ステップＳ５０４）。
【００７０】
現場作業員端末３０は、それら緊急連絡情報のタイトル及び本文を示す情報と、これらの情報をテロップとして表示する旨の情報とを受信すると、それらタイトル及び本文を、自端末の待受画面上でテロップとして表示する（ステップＳ５０５）。
例えば、このテロップは、画面上に固定的に表示するようなものであってもよいし、所定方向に移動するようなものであってもよく、これらテロップの種類は、前述の緊急連絡情報のタイトル及び本文を入力時に設定可能である。
なお、ここでいう待受画面とは、端末の電源をオンすると必ず表示される基本画面をいい、端末２０，３０が携帯電話機である場合には、いわゆる携帯電話機の待受画面に相当し、ＰＣ又はＰＤＡの場合には、デスクトップ画面に相当する。
また、そのテロップとして表示された緊急連絡情報は、その後、表示された現場作業員端末３０に蓄積され、任意のタイミングで再閲覧することができる。
【００７１】
なお、本実施の形態では、現場監督が現場作業員へ緊急連絡する場合について説明したが、現場作業員が現場監督や他の現場作業員へ緊急連絡することもできることはいうまでもない。
【００７２】
以上説明したように、本実施の形態によれば、現場監督端末２０又は現場作業員端末３０の待受画面上に緊急連絡情報がテロップとして表示されるので、現場監督や現場作業員が自発的に連絡掲示板を閲覧しない場合であっても、迅速かつ確実にその内容を伝えることが可能となる。
【００７３】
（画面情報の説明）
次に、前述の緊急連絡情報の通知動作における画面情報について説明する。
図１６は、前述の現場関係者データベースの一例を示す画面図である。
図に示すように、現場関係者データベースには、各現場関係者の氏名、会社名、業種等が各ＩＤに対応付けられて管理されている。さらに、現場関係者データベースには、前述の緊急連絡情報へのアクセス権限が管理されており、現場監督は、現場監督端末２０を用いて、そのアクセス権限、すなわち緊急連絡情報の閲覧・書込みが可能か否かを設定することが可能となっている。
【００７４】
また、図１７は、その緊急連絡情報の入力・送信用の画面情報の一例を示す図である。
現場関係者は、自身の端末２０，３０を用いて、進捗管理サーバ１０にその画面情報を要求し受信後表示すると、その表示された画面情報上で緊急連絡情報の連絡タイトル、連絡本文及び添付画像データのパス等を入力する。また、この画面情報上には以前送信した緊急連絡情報の一覧等も示されている。
【００７５】
そして、現場関係者は、その緊急連絡情報の画面情報上で「緊急連絡の送信先選択」のアイコンを選択することにより、その送信先の設定を行うことができる。
図１８は、その緊急連絡情報の送信先の設定画面の一例を示す図である。
図に示すように、本画面上では、前述の現場関係者データベースの業種（属性・所属）ごとに送信先が設定可能に構成されている。図の例では、「本社」、「部長」、「本社購買」、「ＡＷ」、「造作」・・・等の業種（属性・所属）ごとに送信先を指定することが可能となっている。例えば、「造作」の業種を送信先に指定した場合には、その「造作」に所属する現場関係者のうち、前述の現場関係者データベースにおいて「閲覧」の設定が可となっている者の端末に緊急連絡情報が送信されることになる。
【００７６】
図１９は、その緊急連絡情報を受信した現場作業員端末３０の待受画面の一例を示す図である。
図に示すように、緊急連絡情報が送信先の現場作業員端末３０へ送信されると、その端末３０の待受画面上にその緊急連絡情報の内容がテロップで表示されることになる。図の例では、そのテロップが所定方向に移動するように表示され、その現場作業員端末３０を操作する現場作業員の注意を引くようになっている。また、この待受画面上の「緊急連絡情報」のアイコンを選択することにより、過去に受信した緊急連絡情報を表示させることができるようになっている。
なお、図に示すように、この待受画面上には、「変換工程表データ」、「資材搬入スケジュールデータ」「連絡掲示板」等のアイコンが表示されており、現場作業員は、現場作業員端末３０を用いて、これら各アイコンを選択すると、各データの取得要求を進捗管理サーバ１０へ送信し、これらデータを受信して表示することができる。
【００７７】
（６）資材搬入スケジュールの登録動作
（動作の流れの説明）
次に、現場作業員が、自身の担当作業に必要な建築資材を建築現場に搬入する際の、進捗管理システムによる建築資材の搬入スケジュールの管理動作について説明する。
図２０は、その資材搬入スケジュールデータの管理動作の流れを示すシーケンスチャートである。以下、本図に沿って説明を進める。
【００７８】
まず、現場作業員は、現場作業員端末３０を用いて、自身のＩＤとともに、月単位の資材搬入スケジュールデータの取得要求を進捗管理サーバ１０に送信する（ステップＳ６０１）。
【００７９】
進捗管理サーバ１０は、その現場作業員のＩＤと、月単位の資材搬入スケジュールデータの取得要求を受信すると、そのＩＤに基づいて該当する資材搬入スケジュールデータを抽出し、その月単位の資材搬入スケジュールデータを現場作業員端末３０へ送信する（ステップＳ６０２）。
【００８０】
現場作業員端末３０は、その月単位の資材搬入スケジュールデータを受信すると、画面上に表示する（ステップＳ６０３）。資材搬入のためには、搬入資材の保管スペース、搬入用のリフト及び搬入するトラックの駐車スペース等の確保が必要であるが、ここで表示される月単位の資材搬入スケジュールデータには、例えば、それら保管スペース等の空き状態が各日別に示されている。この空き状態の表示は、例えば、「５０％以上の空き」、「３０％以上５０％未満の空き」、「３０％未満の空き」というように複数段階による表示であってもよい。
現場作業員は、その空き状態等を確認した後、現場作業員端末３０を用いて、資材搬入希望日を入力し、その資材搬入希望日を含む搬入予定を示す情報を進捗管理サーバ１０へ送信する（ステップＳ６０４）。
【００８１】
進捗管理サーバ１０は、その搬入予定を示す情報を受信すると、当該搬入予定日の日単位の資材搬入スケジュールデータを抽出し、現場作業員端末３０へ送信する（ステップＳ６０５）。
【００８２】
現場作業員端末３０は、その日単位の資材搬入スケジュールデータを受信すると、画面上に表示する（ステップＳ６０６）。ここで表示される日単位の資材搬入スケジュールデータには、例えば、各時間帯ごとに、搬入される資材を使用する現場作業員名、搬入する建築現場（棟・階数）、搬入資材等が示される。なお、誰も搬入しない時間帯は、空欄又は空き状態である旨が表示されている。
【００８３】
現場作業員は、その日単位のスケジュールを確認した後、空いている時間帯に建築資材の搬入を希望する場合には（ステップＳ６０７／Ｙｅｓ）、その時間帯を指定する旨の情報とともに、その搬入作業の内容を示す情報を進捗管理サーバ１０へ送信する（ステップＳ６０８）。
例えば、この搬入作業の内容を示す情報には、現場作業員名、搬入時間帯、搬入する建築現場（棟・階数）、搬入資材等が含まれる。
【００８４】
進捗管理サーバ１０は、その空いている時間帯を指定する旨の情報を受信すると、資材搬入スケジュールデータのその時間帯に該当する部分に、当該現場作業員名、搬入時間帯、搬入する建築現場（棟・階数）、搬入資材等の情報を追加し、データ更新を行う（ステップＳ６０９）。
なお、ここで行われるデータ更新の具体的処理としては、例えば、前述の月単位の資材搬入スケジュールデータで示される空き状態を更新したり、日単位の資材搬入スケジュールデータにおいて該当する時間帯に当該スケジュールを書き込んだりといった処理が行われる。
【００８５】
一方、現場作業員は、既に資材搬入が予約済みの時間帯に建築資材の搬入を希望する場合には（ステップＳ６０７／Ｎｏ）、現場作業員端末３０を用いて、その予約済みの時間帯を指定する旨の情報を進捗管理サーバ１０へ送信する（ステップＳ６１０）。
【００８６】
進捗管理サーバ１０は、その既に予約済みの時間帯に建築資材の搬入を希望する旨の情報を受信すると、その既にされている予約内容を示す搬入予約情報を、予約済みの時間帯に資材搬入を希望している現場作業員の現場作業員端末３０へ送信する（ステップＳ６１１）。
【００８７】
現場作業員端末３０は、その搬入予約情報を受信すると、画面上に表示する（ステップＳ６１２）。
この搬入予約情報には、例えば、現在予約している他の現場作業員の氏名、所属会社、建築現場名、搬入日、搬入時間帯及び搬入資材名が示されている。
【００８８】
また、この搬入予約情報には、前述の他の現場作業員の電話番号が表示されており、この表示されている電話番号の数字又はアイコン等を選択することにより（ステップＳ６１３／Ｙｅｓ）、資材搬入の時間帯の指定を希望する現場作業員の現場作業員端末３０から、既に予約済みの他の現場作業員の現場作業員端末３０へ自動発呼を行う（ステップＳ６１４）。
【００８９】
そして、両現場作業員の現場作業員端末３０間で通話を行って（ステップＳ６１５）、既に予約済みの搬入の日程が変更可能か否か相談を行う。先に予約済みの現場作業員が、予約を取り消して資材搬入の時期を譲る場合には、現場作業員端末３０を用いて、その既に予約済みの資材搬入を取り消す旨の情報を進捗管理サーバ１０へ送信する（ステップＳ６１６）。
進捗管理サーバ１０は、その予約を取り消す旨の情報を受信すると、資材搬入スケジュールデータにおける当該予約を消去する（ステップＳ６１７）。
その後、現場作業員は、その予約が取り消された時間帯に資材の搬入の予約を行う（ステップＳ６０８，Ｓ６０９）。
【００９０】
以上説明したように、現場作業員は、現場作業員端末３０を用いて、資材搬入のスケジュールを進捗管理サーバ１０に登録し、他の現場作業員は、そのスケジュールの空き状態を確認して空きの時間帯に建設資材の搬入を行うので、ビルやマンション等の大規模な建物を建築する場合であっても、保管スペースやリフトで搬入資材が溢れかえったり、駐車スペースで搬入用トラックが駐車できなかったりといったトラブルを未然に回避することができ、建築資材をスムーズに搬入することが可能となる。
また、現場作業員は、既に予約済みの時間帯に建築資材の搬入を希望するときには、その先に予約済みの現場作業員の現場作業員端末３０へ自動発呼して連絡を取り合うことができるので、資材搬入スケジュールを容易に調整することが可能となる。
【００９１】
また、本実施の形態では、現場作業員間で電話により資材搬入スケジュールの調整を行うものであるが、電子メールにより容易に調整を行うこともできる。
この場合、前述の搬入予約情報に、その先に予約済みの現場作業員のメールアドレスが含まれているとともに、その画面上には電子メール本文の入力欄と、電子メールの送信アイコンが表示されている。
現場作業員は、現場作業員端末３０を用いて、その本文の入力欄にその時間帯に搬入を希望する旨のコメント等を入力し、前述の送信アイコンを選択することにより、その本文の内容が書き込まれた電子メールを、その相手先の現場作業員の現場作業員端末３０へ自動送信して、スケジュール調整の相談を容易に行うことができる。
【００９２】
（画面情報の説明）
次に、前述の資材搬入スケジュールデータの登録動作における画面情報について説明する。
図２１は、その現場作業員端末３０に表示される、月単位の資材搬入スケジュールデータの一例を示す画面図である。
図に示すように、月単位の資材搬入スケジュールデータには、カレンダー方式で１ヶ月単位の日付が表示されており、各日付における搬入リフト等の搬入手段の空き状態が、その程度によって「○」、「△」、「×」といった記号で表示されており、一目でその空きの程度が確認できるようになっている。
【００９３】
その月単位の資材搬入スケジュールデータに表示される一の日付を選択すると、日単位の資材搬入スケジュールデータが表示される。
図２２は、その日単位の資材搬入スケジュールデータの一例を示す画面図である。
図に示すように、日単位の資材搬入スケジュールデータには、当該日における搬入リフト等の搬入手段の利用時間帯が示されている。本図の例であれば、「０８：００−１０：００」及び「１４：００−１６：００」の時間帯に搬入手段の予約がされており、その他の時間帯は空き状態となっている。
【００９４】
また、図２３は、前述の搬入予約情報の一例を示す画面図である。
図に示すように、この搬入予約情報には、建築現場名、搬入の日程・時間帯、搬入資材名、搬入資材を使用する業者、その担当者（現場作業員）の氏名及び連絡先（電話番号・メールアドレス）、連絡事項を書き込むメール本文の入力欄などが示されている。このように、搬入予約情報には、現在予約済みの搬入作業に関する情報が開示されているので、現場作業員は、その内容を容易に確認することができ、自身が使用する建築資材の搬入スケジュールを効率よく迅速に決定することができる。
【００９５】
また、その搬入予約情報は、画面情報と、現在予約済みの現場作業員の電話番号及びメールアドレスのデータとを有するものである。この電話番号及びメールアドレスのデータは、搬入予約情報の画面上に表示される電話番号のアイコンや、電子メール本文の入力欄及び送信アイコン等に対応付けられている。
従って、その画面上に搬入予約情報上に示される電話番号の数字又はアイコン等を選択することにより、その予約済みの他の現場作業員に対して自動発呼することができる。さらに、その搬入予約情報上のメール本文の入力欄に連絡を取りたい事項等を入力し、同様に搬入予約情報上に示される送信アイコンを選択する等してその他の現場作業員宛に電子メールを送信することができる。
このように、電話又は電子メールにより既に予約済みの他の現場作業員と簡単に連絡を取り合うことができ、搬入スケジュールの容易に調整を行うことができるようになっている。
【００９６】
また、上記の資材搬入スケジュールデータは、現場監督側でも確認及び調整することができる。すなわち、現場監督は、現場家督端末２０を用いて、進捗管理サーバ１０へ資材搬入スケジュールデータの取得を要求すると、受信し表示することができる。
図２４は、現場監督端末２０で表示される資材搬入スケジュールデータの一例を示す画面図である。
図に示すように、その資材搬入スケジュールデータには、現場作業員の場合と同様に、建築資材の搬入スケジュールが示されており、現場監督は、その内容を容易に確認可能となっている。
また、特に、搬入予定のない時間帯であっても、建築現場一帯の地域の停電等で搬入手段が使用できない場合には、「搬入不可」の予定を入力することができ、この「搬入不可」の予定が進捗管理サーバ１０へ送信されて登録されると、その時間帯には、どの現場作業員も搬入予約ができない状態となる。
【００９７】
＜第一実施形態のまとめ＞
以上説明したように、本実施の形態によれば、進捗管理サーバ１０は、工程表データをデータ量が圧縮され、かつ汎用性の高いデータ形式に変換した後に現場作業員端末３０へ送信するので、現場作業員端末３０にＣＰＵの性能やメモリの容量等の制約があり、インストール可能なソフトウェアに制限がある場合であっても、建築工事の工程表を容易に閲覧することが可能となる。
【００９８】
また、本実施の形態によれば、緊急に連絡すべき事項がある場合には、現場監督端末２０又は現場作業員端末３０は、進捗管理サーバ１０を介して緊急連絡情報を送信し、その送信先の端末２０，３０の待受画面上に緊急連絡情報がテロップとして表示されるので、現場監督や現場作業員が自発的に連絡掲示板を閲覧しない場合であっても、迅速かつ確実にその内容を伝えることが可能となる。
【００９９】
また、本実施の形態によれば、現場作業員は、現場作業員端末３０を用いて、資材搬入のスケジュールを進捗管理サーバ１０に登録し、他の現場作業員は、そのスケジュールの空き状態を確認して空きの時間帯に建設資材の搬入を行うので、ビルやマンション等の大規模な建物を建築する場合であっても、保管スペースやリフトで搬入資材が溢れかえったり、駐車スペースで搬入用トラックが駐車できなかったりといったトラブルを未然に回避することができ、建築資材をスムーズに搬入することが可能となる。
また、現場作業員は、既に予約済みの時間帯に建築資材の搬入を希望するときには、その先に予約済みの現場作業員の現場作業員端末３０へ自動発呼して連絡を取り合うことができるので、資材搬入スケジュールを容易に調整することが可能となる。
【０１００】
なお、上記の進捗管理サーバ１０、現場監督端末２０、現場作業員端末３０又はアクセス権限設定端末４０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記の進捗管理サーバ１０、現場監督端末２０、現場作業員端末３０又はアクセス権限設定端末４０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１０１】
なお、上記の実施例は本発明の好適な実施の一例であり、本発明の実施例は、これに限定されるものではなく、本発明の要旨を逸脱しない範囲において種々変形して実施することが可能となる。
【０１０２】
［第二実施形態］
＜概要＞
次に、本発明の第二実施形態について図面を参照して説明する。
この第二実施形態では、農作業における各工程の進捗を管理する場合について説明する。具体的に、第二実施形態における進捗管理システムは、農作業における各工程の進捗を管理するとともに、その農作業に従事するグループの管理者及びスタッフに対し各工程の内容や連絡事項等に関する情報を迅速かつ確実に提供したり、各スタッフが工程に関連する情報を追加登録したりすることにより、農作業全体を円滑に進めることを可能とするものである。
【０１０３】
＜構成＞
図２５は、本発明の第二実施形態である進捗管理システムの概略構成を示す図である。図２５に示すように、第二実施形態の進捗管理システムは、農作業を行う場合における各工程の進捗を管理する進捗管理サーバ１０と、その農作業を行うグループの管理者により操作され、農作業の各工程の進捗状況等の管理を行うグループ管理者端末２０と、その農作業を行うグループのスタッフにより操作され、農作業の工程表等を表示可能なスタッフ端末（作業者端末）３０，３０，・・・と、進捗管理サーバ１０において管理される各データへのアクセス権限を管理するアクセス権限設定端末４０と、スタッフ端末３０，３０，・・・に対して所定のアプリケーションソフトのダウンロードを行うためのアプリダウンロードサーバ５０とを有して構成される。
【０１０４】
進捗管理サーバ１０は、例えば農作業を行うグループの管理者からの依頼により、その農作業における各工程の進捗管理を行う進捗管理事業者により管理される情報処理装置である。この進捗管理サーバ１０は、農作業を行うグループに属する管理者及びスタッフ（以下、ユーザとも称する。）の氏名等のデータをＩＤに対応付けて記憶しているユーザ管理データベースと、農作業における各工程のスケジュールを示す工程表データと、ユーザがコメントや画像を形成してお互いに連絡を取り合う連絡掲示板のデータである連絡掲示板データと、ユーザ間で緊急に連絡を取り合うべき事項を示す緊急連絡情報と、農作業の各工程において必要な農業機器をレンタルする場合等におけるスケジュールを示すスケジュールデータとを管理する。
【０１０５】
また、進捗管理サーバ１０は、この進捗管理サーバ１０で管理される各データへの書込み・閲覧等のアクセス権限を示すアクセス権限データについても蓄積し管理を行う。進捗管理サーバ１０は、このアクセス権限データで設定されるアクセス権限に従って、アクセスしてきたユーザからの要求に応じて、前述の各データの書込み又は閲覧を許可する。このアクセス権限データは、アクセス権限設定端末４０又はグループ管理者端末２０により設定することができる。
【０１０６】
いま、進捗管理サーバ１０で管理される工程表データについて詳しく説明する。工程表データは、少なくとも一つの作業工程データを含んでいる。この作業工程データは、名称のデータと期間のデータとを有する一又は複数の代表工程テータを含んでいる。例えば、複数の圃場で各種の農作物を生産する場合には、作業工程データは圃場毎に設定される。また、代表工程とは、例えば、作業工程の全体を大きな概念で区分したときの工程のことであり、例えば、「土壌整備」、「種まき」、「追肥」、「土盛り」等が該当する。また、代表工程データには、少なくとも一つの詳細工程データが関連付けられている。詳細工程とは、当該代表工程をさらに細かく区分したときの工程のことである。例えば、「土壌整備」という代表工程についての詳細工程には、「土の返し」、「水分と肥料」等が該当する。詳細工程データも名称のデータと期間のデータとを有している。さらに、詳細工程データには、投稿データが関連付けられている。投稿データは、スタッフ端末３０で作成されるデータであり、この投稿データには、日付データ、位置データ、画像データ、テキストデータが含まれる。ここで、位置データは、例えばスタッフ端末３０に備わるＧＰＳ機能を用いて取得される。画像データは、スタッフ端末３０に備わるカメラ機能を用いて撮像される。また、テキストデータは、スタッフ端末３０の入力手段を用いて入力される。尚、投稿データには、映像データを含めるようにしてもよい。
【０１０７】
また、工程表データには、上述のように代表工程データが含まれているが、代表工程データとして、特に「ＱＲ代表工程」という名称の代表工程データが含まれている。ＱＲ代表工程という代表工程データを作成すると、このＱＲ代表工程データと関連付けられる詳細工程データとして、所定数のＱＲ詳細工程データが自動的に作成されることになる。これらＱＲ詳細工程データの名称としては、例えば「ＱＲ１」，「ＱＲ２」，「ＱＲ３」，・・・という名称が設定される。ＱＲ詳細工程データと関連付けられる投稿データは公開用の投稿テータとして利用されることになる。
【０１０８】
さらに、進捗管理サーバ１０は、ＱＲコードデータベースを管理している。このＱＲコードデータベースには、複数のＱＲコード情報が含まれている。ＱＲコード情報は、ＱＲ詳細工程データを特定するデータと、そのＱＲ詳細工程データに関連するＵＲＬ情報と、そのＵＲＬ情報が記録されたＱＲコードと、そのＵＲＬ情報で表されるサイトを公開するかどうかを示す公開フラグ情報とを有するものである。進捗管理サーバ１０は、ＱＲコード情報にしたがって、当該ＱＲ詳細工程データに関連付けられる公開用の投稿データを格納するための領域を確保する。
【０１０９】
グループ管理者端末２０は、この農作業を行うグループの管理者により操作される情報処理端末であって、いわゆるＰＣや、携帯電話機又はＰＤＡ等の携帯端末である。このグループ管理者端末２０は、一般的なＰＣ等と同様の機能、すなわち計算、記憶、ネットワークを介しての情報の送受信、情報の表示等の各処理を行う機能を備えるものである。
【０１１０】
このグループ管理者端末２０は、農作業における各工程のスケジュールを示す工程表データを作成し、進捗管理サーバ１０に登録する。この登録された工程表データは、グループ管理者端末２０及びスタッフ端末３０からのアクセスに応じて進捗管理サーバ１０から送信される。また、グループ管理者端末２０は、進捗管理サーバ１０が管理する連絡掲示板に連絡事項を書き込んだり、緊急連絡情報を進捗管理サーバ１０に登録したりすることにより、スタッフとの間で緊密に連絡をとることができるようになっている。さらに、グループ管理者端末２０は、アクセス権限データを進捗管理サーバ１０に送信し登録する。これにより、進捗管理サーバ１０で管理される工程表データ、詳細工程データ、緊急連絡情報又はスケジュールデータ等の閲覧・書込みを可能な人物を制限することができる。
【０１１１】
また、グループ管理者端末２０は、ＱＲコード情報を作成し、その作成したＱＲコード情報を進捗管理サーバ１０に登録する。さらに、グループ管理者端末２０は、進捗管理サーバ１０が記憶するデータに対して検索を行う機能、スタッフ端末に対して初期登録するための招待メールの送信を行う機能を有している。
【０１１２】
スタッフ端末３０は、農作業に従事するスタッフにより操作される情報処理装置であって、携帯電話機、ＰＨＳ、ＰＤＡ又はノートブック型ＰＣ等の携帯端末であり、好ましくは農作業を行う圃場で容易に操作可能な携帯電話機である。このスタッフ端末３０は、一般的な携帯電話機等と同様の機能、すなわち通話、計算、記憶、ネットワークを介しての情報の送受信、情報の表示等の各処理を行う機能を備えるものである。特に、ここでは、スタッフ端末３０には、画像データを取得するカメラ機能、位置データを取得するＧＰＳ機能、及び、二次元コード読取機能も備わっているものとする。
【０１１３】
このスタッフ端末３０は、スタッフ個人が所有又はグループ管理者から配布されるものであって、好ましくは、スタッフ１人が１台所有又は配布される。スタッフは、スタッフ端末３０を操作し、工程表データや詳細工程データ等を進捗管理サーバ１０から受信して画面上に表示させ、自身が担当する作業スケジュールをどこにいても容易に確認することができるようになっている。また、スタッフは、スタッフ端末３０を操作して、投稿データを作成し、その作成した投稿データを工程表データにおける所定の詳細工程データと関連付けて進捗管理サーバに登録することができる。
【０１１４】
また、スタッフは、スタッフ端末３０を操作して、グループ管理者と同様に、連絡掲示板への書込み・閲覧、緊急連絡情報の書込み・閲覧を行うことができる。さらに、スタッフは、スタッフ端末３０を操作して、自身が担当する農作業の工程において必要な農業機器のレンタルを希望する時期を、スケジュールデータとして進捗管理サーバ１０に登録することができる。
【０１１５】
アクセス権限設定端末４０は、前述の進捗管理事業者により管理される情報処理装置である。進捗管理事業者は、アクセス権限設定端末４０を操作して、アクセス権限データを入力し、進捗管理サーバ１０へ送信して登録することにより、進捗管理サーバ１０で管理される各データの閲覧・書込みを制限することができる。
【０１１６】
＜動作＞
次に、第二実施形態における進捗管理システムによる動作について説明する。
【０１１７】
（１）スタッフ端末の初期登録動作
（動作の流れの説明）
スタッフ端末３０が、第二実施形態の進捗管理システムにおける各機能を実現するためには専用のアプリケーションプログラム（工程表データの閲覧・登録用プログラム）をインストールしなければならない。このため、スタッフ端末３０に対して初期登録動作を行う必要がある。図２６は、第二実施形態におけるスタッフ端末３０の初期登録動作の流れを示すシーケンスチャートである。以下、図２６に沿って、本動作を説明する。
【０１１８】
グループ管理者端末２０は、登録の申込みを受けたスタッフのスタッフ端末３０に対して、申込みのためのサイトのＵＲＬ情報を記述した招待メールを送信する（ステップＳ１）。そのスタッフ端末３０が招待メールを受信すると（ステップＳ２）、スタッフは、スタッフ端末３０を用いて招待メールに記載されているサイトのＵＲＬにアクセスして、使用している端末の端末情報やスタッフの氏名、住所、顔写真等の個人情報などを入力して送信する（ステップＳ３）。スタッフが送信した端末情報及び個人情報は進捗管理サーバ１０とグループ管理者端末２０に送られる。進捗管理サーバ１０は、受信した端末情報及び個人情報をユーザ管理データベースに登録し、また、受信した端末情報をアプリダウンロードサーバ５０に送る。この端末情報を受け取ったアプリダウンロードサーバ５０は、その端末情報に基づいて、カメラ撮影サイズやディスプレイサイズを選択し、その端末情報に合ったアプリケーションのバージョン情報をスタッフ端末３０に送る（ステップＳ４）。スタッフ端末３０は、アプリダウンロードサーバ５０から送られてきたアプリケーションのバージョン情報に基づいて、アプリダウンロードサーバ５０から該当するアプリケーションプログラムをダウンロードする（ステップＳ５）。
【０１１９】
一方、グループ管理者端末２０がスタッフ端末３０から端末情報及び個人情報を受信すると、グループ管理者は、そのグループ管理者端末２０を用いて、そのスタッフに対して、進捗管理サーバ１０に格納している各種のデータのうちどのデータを閲覧することができ、またどのデータに対して書込みを行うことができるのか等を定めるアクセス権限を設定する（ステップＳ６）。その設定したアクセス権限の内容は、進捗管理サーバ１０に送られ、進捗管理サーバ１０はその内容をアクセス権限データに登録する。また、進捗管理サーバ１０は、このアクセス権限の内容の登録を行った後、当該スタッフ端末３０にアプリケーションプログラムの使用開始許可情報を送信する。これにより、当該スタッフ端末３０は、ダウンロードしたアプリケーションプログラムを使用することが可能となり、そのアプリケーションプログラムを起動すると、当該スタッフ端末３０には、そのアプリケーションプログラムのトップ画面（待受け画面）が表示される（ステップＳ７）。
【０１２０】
（２）工程表データの作成動作
（動作の流れの説明）
図２７は、第二実施形態における工程表データの作成動作の流れを示すシーケンスチャートである。以下、図２７に沿って、本動作を説明する。
【０１２１】
まず、グループ管理者は、グループ管理者端末２０を操作して、工程表を作成するのに必要なデータ（条件データ）を入力する。グループ管理者端末２０には、専用のプログラムが組み込まれており、このプログラムを立ち上げたときに表示される所定の入力画面上でデータの入力が行われる。具体的には、グループ管理者は、作業工程毎に代表工程データ（例えば、名称のデータや期間のデータ）を入力する。そして、各代表工程データに対して詳細工程データ（例えば、名称のデータや期間のデータ）を入力する。ここで、代表工程データとしてＱＲ代表工程データが入力されると、グループ管理者端末２０は、上述したように、ＱＲ詳細工程データを自動作成することになる。その後、グループ管理者端末２０は、その入力されたデータを進捗管理サーバ１０へ送信する。
【０１２２】
進捗管理サーバ１０は、工程表を作成するのに必要なデータをグループ管理者端末２０から受信すると、その受信したデータに基づいて、代表工程データと詳細工程データとＱＲ詳細工程データとを含む工程表データを作成する（ステップＳ１１）。進捗管理サーバ１０は、この作成した工程表データを自機内に蓄積する。また、進捗管理サーバ１０は、この作成した工程表データをグループ管理者端末２０へ送信する。
【０１２３】
グループ管理者端末２０は、その作成された工程表データを進捗管理サーバ１０から受信すると、画面上に表示する（ステップＳ１２）。グループ管理者は、その画面上に表示された工程表データを確認し、部分的に修正・変更を希望する場合には（ステップＳ１３／Ｙｅｓ）、グループ管理者端末２０を用いて、その修正・変更する旨の指示とその内容を示すデータを進捗管理サーバ１０へ送信する。
【０１２４】
進捗管理サーバ１０は、その修正・変更する旨の指示とその内容を示すデータをグループ管理者端末２０から受信すると、その受信したデータに基づいて、自機内に蓄積済みの工程表データを変更するとともに（ステップＳ１４）、その変更した工程表データをグループ管理者端末２０へ送信する。
【０１２５】
グループ管理者端末２０は、その変更した工程表データを進捗管理サーバ１０から受信すると、画面上に表示する（ステップＳ１５）。グループ管理者は、上述したように工程表データの修正・変更を繰り返すことにより、工程表データを作成する。グループ管理者端末２０は、進捗管理サーバ１０から受信した工程表データを自機内に蓄積する。その後、グループ管理者は、この蓄積した工程表データを読み出して確認することができる。尚、グループ管理者端末２０は、進捗管理サーバ１０から受信した工程表データを自機内に蓄積しておくのではなく、必要に応じて、工程表データの取得を進捗管理サーバ１０に対して要求することにより、工程表データを受信し、表示するようにしてもよい。
【０１２６】
このように、グループ管理者は、農作業の工程に関するデータを入力するだけで容易に工程表を作成することができるので、工程表作成に要する時間を大幅に短縮することが可能となる。
【０１２７】
（画面情報の説明）
次に、前述の工程表データの作成動作における画面情報について説明する。図２８は、その作成動作により作成された工程表データの一例を示す図である。図２８に示すように、この工程表データには、作業工程（圃場）毎に、当該作業工程（圃場）において行われる各代表工程及び各代表工程の行われる時期等が書き込まれている。また、この画面上で所望の代表工程をクリックすると、左下に、そのクリックした代表工程と関連付けられた詳細工程の内容が表示される。このように、グループ管理者は、グループ管理者端末２０を用いて、この工程表データを閲覧することにより、農作業のスケジュールを一目で確認することができるようになっている。また、図２８において期間を示す矢印をドラッグして伸ばしたり、短くしたりすることにより、期間を簡単に変更することができる。
【０１２８】
（３）スタッフ端末３０による代表工程画面の表示動作
スタッフは、スタッフ端末３０を用いて、工程表データを閲覧したり、投稿データを作成して登録したりすることができる。スタッフ端末３０には、アプリダウンロードサーバ５０からダウンロードした専用のアプリケーションプログラム（工程表データの閲覧・登録用プログラム）がインストールされており、このアプリケーションプログラム上で表示される所定の操作画面を用いて、工程表データの閲覧・投稿データの作成等が行われる。
【０１２９】
図２９は、スタッフ端末３０の画面上に表示される操作画面を示す図である。工程表データの閲覧・投稿データの作成等を行うための操作画面には、図２９に示すように、トップ画面（待受け画面）、代表工程画面、詳細工程画面、投稿画面、投稿後詳細工程画面が含まれる。ここで、図２９（ａ）に示すトップ画面は、当該アプリケーションプログラムを起動させたときに表示される初期画面である。図２９（ｂ）に示す代表工程画面は、作業工程毎に代表工程の項目の一覧を示す画面である。図２９（ｃ）に示す詳細工程画面は、詳細工程の項目の一覧を示す画面である。図２９（ｄ）に示す投稿画面は、投稿データを入力するための画面である。図２９（ｅ）に示す投稿後詳細工程画面は、投稿データを入力し進捗管理サーバに登録した後に表示される詳細工程画面である。
【０１３０】
（動作の流れの説明）
まず、スタッフ端末３０による代表工程画面の表示動作を説明する。図３０は、そのスタッフ端末３０を用いて代表工程画面を表示するときの進捗管理システムによる動作の流れを示すシーケンスチャートである。以下、図３０に沿って説明を進める。
【０１３１】
スタッフは、図２９（ａ）に示す工程表データの閲覧・登録用プログラムのトップ画面をスタッフ端末３０に表示させる。このトップ画面には、「緊急連絡」、「ＱＲ・工程」、「スケジュール」、「連絡掲示板」、「ＱＲ更新」等の各項目が表示される。スタッフがトップ画面上の「ＱＲ・工程」の項目を選択すると、スタッフ端末３０は、スタッフ自身のＩＤとともに代表工程画面の表示を要求する旨の情報を進捗管理サーバ１０へ送信する。
【０１３２】
進捗管理サーバ１０は、スタッフＩＤ及び代表工程画面の表示要求情報を受信すると、自機内に蓄積されている工程表データのうち、そのＩＤに該当する工程表データを選択する（ステップＳ２１）。その後、進捗管理サーバ１０は、その選択した工程表データから代表工程画面を表示するのに必要なデータを取得して、スタッフ端末３０へ送信する（ステップＳ２２）。
【０１３３】
次に、スタッフ端末３０は、その代表工程画面を表示するのに必要なデータを進捗管理サーバ１０から受信すると、その受信したデータに基づいて代表工程画面を作成して、図２９（ｂ）に示すような代表工程画面を画面上に表示する（ステップＳ２３）。ここで、代表工程画面は複数のページからなる。各ページの代表工程画面には、一つの作業工程（圃場）に対する代表工程の項目が一覧表示される。そして、カーソルキーを用いてページを選択することにより、次のページの代表工程画面が表示される。
【０１３４】
（４）スタッフ端末３０による工程表データの閲覧動作
（動作の流れの説明）
また、スタッフは、進捗管理サーバ１０に蓄積された工程表データをスタッフ端末３０を用いて閲覧することができる。図３１は、そのスタッフ端末３０を用いて工程表データを閲覧するときの進捗管理システムによる動作の流れを示すシーケンスチャートである。以下、図３１に沿って説明を進める。
【０１３５】
まず、スタッフは、スタッフ端末３０を用いて、図３０の動作の示す流れに従って、代表工程画面を画面上に表示する。次に、スタッフは、図２９（ｂ）に示すような代表工程画面において左下の「ファイル」という項目を選択する。これにより、スタッフ端末３０は、スタッフ自身のＩＤとともに工程表データの閲覧を要求する旨の情報を進捗管理サーバ１０へ送信する。
【０１３６】
進捗管理サーバ１０は、スタッフのＩＤ及び工程表データの閲覧要求情報を受信すると、自機内に蓄積されている工程表データのうち、そのＩＤに該当する工程表データを選択する（ステップＳ３１）。その後、進捗管理サーバ１０は、その選択した工程表データを、簡易な仕様の端末でも表示可能なように、汎用性の高いデータ形式にデータ変換処理を行う（ステップＳ３２）。この汎用性の高いデータ形式としては、例えば、ＣＳＶ（Ｃｏｍｍａ−Ｓｅｐａｒａｔｅｄ  Ｖａｌｕｅｓ）データ、テキストデータ、エクセル等の表計算ソフトウェアのデータ形式等があげられる。そして、進捗管理サーバ１０は、そのデータ変換処理をした工程表データ（以下、変換工程表データという）をスタッフ端末３０へ送信する。
【０１３７】
スタッフ端末３０は、その変換工程表データを進捗管理サーバ１０から受信すると、その変換工程表データを自機内にインストールされている表示用ソフトウェアにより読み込んで画面上に表示する（ステップＳ３３）。この表示用ソフトウェアとしては、例えば、ドキュメントビューア等の携帯電話機でエクセル等を閲覧するためのソフトウェア、その他ＣＳＶ又はテキストデータを表示可能な簡易な表示用ソフトウェア、又はこれら変換工程表データのデータ形式をさらにＨＴＭＬ等に変換して表示するソフトウェア等があげられる。スタッフは、その画面上に表示された（変換）工程表データを閲覧して、作業日程等を確認する。
【０１３８】
このように、進捗管理サーバ１０は、工程表データをデータ量が圧縮され、かつ汎用性の高いデータ形式に変換した後にスタッフ端末３０へ送信するので、スタッフ端末３０にＣＰＵの性能やメモリの容量等の制約があり、インストール可能なソフトウェアに制限がある場合であっても、農作業の工程表を容易に閲覧することが可能となる。
【０１３９】
（画面情報の説明）
図３２は、スタッフ端末３０において表示される工程表の一例を示す画面であって、エクセル等の汎用の表計算ソフトウェアにより表示されたものである。ここで表示される（変換）工程表データは、図２８に示されるグループ管理者端末２０において表示されるものと比べて表示形式が簡略化され、データ量が削減されている。
【０１４０】
尚、スタッフ端末３０は、その能力によっては、工程表データの閲覧・登録用プログラムを起動してトップ画面を表示した際に、当該スタッフ端末３０で必要なすべてのデータ（代表工程画面を表示するのに必要なデータ、詳細工程画面を表示するのに必要なデータ、エクセル等の工程表データなど）を一括して進捗管理サーバ１０から取得するようにしてもよい。
【０１４１】
（５）投稿データを詳細工程データに関連付けて工程表データへ追記する動作
（動作の流れの説明）
次に、スタッフが、スタッフ端末３０を用いて、投稿データを詳細工程データに関連付けて工程表データに追記する際の動作について説明する。ここでは、投稿データと関連付けられる詳細工程データがＱＲ詳細工程データではない場合を考える。
【０１４２】
図３３は、投稿データを詳細工程データに関連付けて工程表データへ追記する動作の流れを示すシーケンスチャートである。以下、図３３に沿って説明を進める。
【０１４３】
まず、スタッフは、自己が作業を行う所定の圃場に到着すると、前述のように、スタッフ端末３０を用いて、代表工程画面を画面上に表示させる（ステップＳ４１）。次に、スタッフは、スタッフ端末３０を用いて、その代表工程画面上で、例えば、この圃場において自己が行う代表工程の項目を選択すると、スタッフ端末３０は、スタッフ自身のＩＤとともに、その選択した代表工程と関連付けられた詳細工程の一覧を示す詳細工程画面の表示を要求する旨の情報を進捗管理サーバ１０へ送信する。
【０１４４】
進捗管理サーバ１０は、スタッフＩＤ及び詳細工程画面の表示要求情報を受信すると、自機内に蓄積されている工程表データのうち、そのＩＤに該当する工程表データを選択する。そして、その選択した工程表データから、その要求された詳細工程画面を表示するのに必要なデータを取得して、スタッフ端末３０へ送信する。
【０１４５】
次に、スタッフ端末３０は、その詳細工程画面を表示するのに必要なデータを進捗管理サーバ１０から受信すると、その受信したデータに基づいて詳細工程画面を作成して、図２９（ｃ）に示すような詳細工程画面を画面上に表示する（ステップＳ４２）。ここで、この詳細工程画面には、詳細工程の項目の一覧が示されると共に、各詳細工程の項目に対応して「投稿」ボタンが表示される。
【０１４６】
次に、スタッフは、スタッフ端末３０を用いて、その詳細工程画面上で所望の詳細工程の項目に対応する「投稿」ボタンを選択すると、その選択した詳細工程に関する投稿画面が画面上に表示される。この投稿画面の一例が図２９（ｄ）に示す画面である。また、「投稿」ボタンの選択の際に、スタッフ端末３０は、ＧＰＳ機能により位置データ（位置情報）を取得し（ステップＳ４３）、その位置データを、スタッフＩＤ、及び、その位置データをどの詳細工程のデータと関連付けるかを示す格納情報データとともに、進捗管理サーバ１０に送信する。進捗管理サーバ１０は、これらのデータを受信すると、その位置データを投稿データの一つとして、上記の格納情報データにしたがった工程表データにおける所定の詳細工程と関連付けて、工程表データに追加して登録する。尚、スタッフ端末３０は、位置データは、後述する画像データ及びテキストデータと一緒に進捗管理サーバ１０に送信するようにしてもよい。
【０１４７】
次に、スタッフは投稿画面上で「カメラ起動」ボタンを選択する。これにより、スタッフ端末３０のカメラ機能が作動し、スタッフは、当該詳細工程の内容に関連した画像を撮影する（ステップＳ４４）。また、スタッフは、投稿画面上で「コメント」の入力欄に、当該詳細工程の内容に関連したコメントを入力する（ステップＳ４５）。その後、スタッフが投稿画面の左下にある「送信」ボタンを選択すると、スタッフ端末３０は、その撮影画像の画像データとその入力したコメントのテキストデータとを、スタッフＩＤ、及び、その画像データ・テキストデータをどの詳細工程のデータと関連付けるかを示す格納情報データとともに、進捗管理サーバ１０に送信する。ここで、画像データには日付データが付属している。進捗管理サーバ１０は、これらのデータを受信すると、その画像データ及びテキストデータを投稿データとして、上記の格納情報データにしたがった工程表データにおける所定の詳細工程と関連付けて、工程表データに追加して登録する（ステップＳ４６）。
【０１４８】
一方、スタッフ端末３０は、画像データ及びテキストデータを進捗管理サーバ１０に送信した後に、そのスタッフ端末３０内に記憶されている当該画像データ及びテキストデータを削除する（ステップＳ４７）。これは、投稿データを進捗管理サーバ１０で一括管理するためである。但し、画像データ及びテキストデータをその送信後に削除しないよう設定することも可能である。
【０１４９】
尚、進捗管理サーバ１０は、ステップＳ４９の処理にしたがって画像データ及びテキストデータを登録した後、その登録後における詳細工程画面を表示するのに必要なデータをスタッフ端末３０に送信する。スタッフ端末３０は、そのデータを進捗管理サーバ１０から受信すると、その受信したデータに基づいて詳細工程画面を作成して、図２９（ｅ）に示すような投稿後詳細工程画面を画面上に表示する。この投稿後詳細工程画面には、今回投稿した画像やコメント等の内容が表示される。
【０１５０】
尚、スタッフ端末として、ＧＰＳ機能が備わっていないものを用いる場合には、位置データとして、そのスタッフ端末に最も近い基地局のデータを位置データとすることができる。
【０１５１】
尚、グループ管理者は、グループ管理者端末２０を用いて、投稿データの一覧を画面上に表示することができる。また、グループ管理者端末２０は、進捗管理サーバ１０が記憶するデータに対して検索を行う機能を有している。このため、この検索機能を利用すると、投稿データの一覧画面上で、代表工程の項目名、画像投稿日、テキストデータ内の文字等を検索キーとして、この検索キーに該当する投稿データの一覧を表示することができる。
【０１５２】
（６）投稿データをＱＲ詳細工程データに関連付けて工程表データへ追記する動作
（動作の流れの説明）
次に、スタッフが、スタッフ端末３０を用いて、投稿データをＱＲ詳細工程データに関連付けて工程表データに追記する際の動作について説明する。
【０１５３】
図３４は、投稿データをＱＲ詳細工程データに関連付けて工程表データへ追記する動作の流れを示すシーケンスチャートである。以下、図３４に沿って説明を進める。
【０１５４】
まず、グループ管理者は、グループ管理者端末２０を用いて、ＱＲコード情報の設定を行う（ステップＳ５１）。すなわち、グループ管理者は、工程表データにおける各ＱＲ詳細工程に対して、そのＱＲ詳細工程を特定するデータと、そのＱＲ詳細工程に関連するＵＲＬ情報と、そのＵＲＬ情報が記録されたＱＲコードとを作成して、ＱＲコード情報の設定を行う。ここで、ＱＲコード情報には、そのＵＲＬ情報で表されるサイトを公開するかどうかを示す公開フラグ情報が含まれるが、この時点では、サイトを未公開に設定しておく。その後、グループ管理者端末２０がその設定されたＱＲコード情報を進捗管理サーバ１０に送信すると、進捗管理サーバ１０は、そのＱＲコード情報にしたがって、当該ＱＲ詳細工程に関連付けて公開用の投稿データを格納するための領域を確保し、そのＱＲコード情報をＱＲコードデータベースに蓄積して管理する。
【０１５５】
さて、スタッフは、前述のように、スタッフ端末３０を用いて、図２９（ｂ）に示すような代表工程画面を画面上に表示させる。次に、スタッフは、スタッフ端末３０を用いて、その代表工程画面上で、「ＱＲ代表工程」という代表工程の項目を選択すると、スタッフ端末３０は、スタッフ自身のＩＤとともに、その選択したＱＲ代表工程と関連付けられたＱＲ詳細工程の一覧を示す詳細工程画面の表示を要求する旨の情報を進捗管理サーバ１０へ送信する。
【０１５６】
進捗管理サーバ１０は、スタッフＩＤ及びＱＲ詳細工程の一覧を示す詳細工程画面の表示要求情報を受信すると、自機内に蓄積されている工程表データのうち、そのＩＤに該当する工程表データを選択する。そして、その選択した工程表データから、その要求されたＱＲ詳細工程の一覧を示す詳細工程画面を表示するのに必要なデータを取得して、スタッフ端末３０へ送信する（ステップＳ５２）。
【０１５７】
次に、スタッフ端末３０は、そのＱＲ詳細工程の一覧を示す詳細工程画面を表示するのに必要なデータを進捗管理サーバ１０から受信すると、その受信したデータに基づいて詳細工程画面を作成して、詳細工程画面を画面上に表示する（ステップＳ５３）。ここで、上述したように「ＱＲ代表工程」という代表工程には、「ＱＲ１」，「ＱＲ２」，「ＱＲ３」，・・・という名称の各ＱＲ詳細工程が関連付けられている。このため、ＱＲ詳細工程の一覧を示す詳細工程画面には、「ＱＲ１」，「ＱＲ２」，「ＱＲ３」，・・・の各項目が表示される。尚、この詳細工程画面にも、図２９（ｃ）の例に示す詳細工程画面と同様に、各項目に対応して「投稿」ボタンが表示される。
【０１５８】
次に、スタッフは、スタッフ端末３０を用いて、その詳細工程画面上で所望のＱＲ詳細工程の項目に対応する「投稿」ボタンを選択すると、その選択したＱＲ詳細工程に関する投稿画面が画面上に表示される。また、「投稿」ボタンの選択の際に、スタッフ端末３０は、ＧＰＳ機能により位置データを取得し（ステップＳ５４）、その位置データを、スタッフＩＤ、及び、その位置データをどのＱＲ詳細工程のデータと関連付けるかを示す格納情報データとともに、進捗管理サーバ１０に送信する。進捗管理サーバ１０は、これらのデータを受信すると、その位置データを投稿データの一つとして、上記の格納情報データにしたがった工程表データにおける所定のＱＲ詳細工程と関連付けて、工程表データに追加して登録する。尚、スタッフ端末３０は、位置データは、後述する画像データ及びテキストデータと一緒に進捗管理サーバ１０に送信するようにしてもよい。
【０１５９】
次に、スタッフは投稿画面上で「カメラ起動」ボタンを選択する。これにより、スタッフ端末３０のカメラ機能が作動し、スタッフは、当該詳細工程の内容に関連した画像を撮影する（ステップＳ５５）。また、スタッフは、投稿画面上で「コメント」の入力欄に、当該詳細工程の内容に関連したコメントを入力する（ステップＳ５６）。その後、スタッフが投稿画面の左下にある「送信」ボタンを選択すると、スタッフ端末３０は、その撮影画像の画像データとその入力したコメントのテキストデータとを、スタッフＩＤ、及び、その画像データ・テキストデータをどのＱＲ詳細工程のデータと関連付けるかを示す格納情報データとともに、進捗管理サーバ１０に送信する。ここで、画像データには日付データが付属している。進捗管理サーバ１０は、これらのデータを受信すると、その画像データ及びテキストデータを投稿データとして、上記の格納情報データにしたがった工程表データにおける所定のＱＲ詳細工程と関連付けて、工程表データに追加して登録する（ステップＳ５７）。
【０１６０】
一方、スタッフ端末３０は、画像データ及びテキストデータを進捗管理サーバ１０に送信した後に、そのスタッフ端末３０内に記憶されている当該画像データ及びテキストデータを削除する（ステップＳ５８）。これは、投稿データを進捗管理サーバ１０で一括管理するためである。但し、画像データ及びテキストデータをその送信後に削除しないよう設定することも可能である。
【０１６１】
その後、グループ管理者は、このＱＲ詳細工程に関する投稿データを公開するかどうかの設定を行う。まず、グループ管理者は、グループ管理者端末２０を用いて、所望の投稿データの表示を要求する旨の情報を進捗管理サーバ１０に送信する。進捗管理サーバ１０は、グループ管理者端末２０から投稿データの表示要求情報を受信すると、その要求された投稿データをグループ管理者端末２０に送信する。次に、グループ管理者端末２０が進捗管理サーバ１０から送られた投稿データの内容を画面上に表示すると（ステップＳ５９）、グループ管理者は、必要に応じてテキストデータの内容を編集し（ステップＳ６０）、そして、画像の内容を確認する（ステップＳ６１）。その後、グループ管理者は、この投稿データの内容を公開してもよいと判断すると、この投稿データと関連付けられたＱＲ詳細工程に関連するＵＲＬのサイトの公開を設定する（ステップＳ６２）。そして、グループ管理者端末２０が、この公開設定に関する情報を進捗管理サーバ１０に送信すると、進捗管理サーバ１０は、その投稿データを当該サイトで公開する（ステップＳ６３）。
【０１６２】
したがって、一般の消費者が、自己の携帯端末を用いて、上記のＱＲコードを撮影し、そのＱＲコードに記録されたＵＲＬのサイトの閲覧要求を進捗管理サーバ１０に送信すると、進捗管理サーバ１０は、そのサイトで公開されている投稿データをその携帯端末に送信し、一般の消費者は、その投稿データの内容を閲覧することができる。
【０１６３】
（７）スタッフがＱＲコードの撮影画像を用いて投稿データをＱＲ詳細工程データに関連付けて工程表データへ追記する動作
（動作の流れの説明）
上述した（６）の動作では、スタッフが、書込み・閲覧の権限を有する工程表データに投稿データを追記する場合について説明したが、第二実施形態の進捗管理システムでは、例えば、スタッフが、書込み・閲覧の権限を有さない工程表データに対して投稿データを追記することができる。次に、スタッフが、スタッフ端末３０を用いて、投稿データをＱＲ詳細工程データに関連付けて、書込み・閲覧の権限を有さない工程表データに追記する際の動作について説明する。
【０１６４】
図３５は、スタッフがＱＲコードの撮影画像を用いて投稿データをＱＲ詳細工程データに関連付けて工程表データへ追記する動作の流れを示すシーケンスチャートである。以下、図３５に沿って説明を進める。
【０１６５】
まず、グループ管理者は、グループ管理者端末２０を用いて、ＱＲコード情報の設定を行う（ステップＳ７１）。すなわち、グループ管理者は、工程表データにおける各ＱＲ詳細工程に対して、そのＱＲ詳細工程を特定するデータと、そのＱＲ詳細工程に関連するＵＲＬ情報と、そのＵＲＬ情報が記録されたＱＲコードとを作成して、ＱＲコード情報の設定を行う。ここで、ＱＲコード情報には、そのＵＲＬ情報で表されるサイトを公開するかどうかを示す公開フラグ情報が含まれるが、この時点では、サイトを未公開に設定しておく。その後、グループ管理者端末２０がその設定されたＱＲコード情報を進捗管理サーバ１０に送信すると、進捗管理サーバ１０は、そのＱＲコード情報にしたがって、当該ＱＲ詳細工程に関連する公開用の投稿データを格納するための領域を確保し、そのＱＲコード情報をＱＲコードデータベースに蓄積して管理する。
【０１６６】
また、上記のＱＲコードは、例えば、所定の圃場における所定の場所・農業機器等に貼り付けられる。QRコードが貼り付けられた物件の位置情報、画像情報、撮影者情報を常に取得することにより、当該物件の情報を更新出来る。いま、スタッフＡ，Ｂは、その圃場での農作業に従事しておらず、その農作業に関する工程表データについて書込み・閲覧の権限を有さない者であるとする。
【０１６７】
この場合、スタッフＡは、まず、スタッフ端末３０Ａを用いて、工程表データの閲覧・登録用プログラムを起動し、図２９（ａ）に示すようなトップ画面を画面上に表示させる。次に、スタッフＡは、スタッフ端末３０Ａを用いて、そのトップ画面上で、「ＱＲ更新」という項目を選択すると、二次元コード読取画面が表示される。そして、その二次元コード読取画面上で、農業機械等に貼り付けられているＱＲコードを撮影して読み取ると（ステップＳ７２）、スタッフ端末３０Ａは、そのＱＲコードに関連付けられているＱＲ詳細工程を含む代表工程画面を表示するのに必要なデータの取得要求を進捗管理サーバ１０に送信する。進捗管理サーバ１０は、そのデータの取得要求を受信すると、その代表工程画面を表示するのに必要なデータを選択し（ステップＳ７３）、そのスタッフ端末３０Ａに送信する。そして、スタッフ端末３０Ａは、そのデータを受信すると、スタッフＡが書込み・閲覧の権限を有さない工程表データについての代表工程画面を表示する（ステップＳ７４）。こうして、その代表工程画面が画面上に表示されると、スタッフＡは、上記の（６）で説明した操作と同様の操作を行うことにより、その書込み・閲覧の権限を有さない工程表データに対して投稿データを追記することができる（ステップＳ７５〜Ｓ７９）。
【０１６８】
一方、スタッフＢは、スタッフ端末３０Ｂを用いて、工程表データの閲覧・登録用プログラムを起動してトップ画面を画面上に表示させる。その後、そのトップ画面上で「ＱＲ更新」という項目を選択すると、スタッフ端末３０Ｂには、二次元コード読取画面が表示される。そして、その二次元コード読取画面上で、農業機械等に貼り付けられているＱＲコードを撮影して読み取ると（ステップＳ８０）、スタッフ端末３０Ｂは、そのＱＲコードに関連付けられているＱＲ詳細工程を含む代表工程画面を表示するのに必要なデータの取得要求を進捗管理サーバ１０に送信する。進捗管理サーバ１０は、そのデータの取得要求を受信すると、その代表工程画面を表示するのに必要なデータを選択し（ステップＳ７３）、そのスタッフ端末３０Ｂに送信する。そして、スタッフ端末３０Ｂは、そのデータを受信すると、スタッフＢが書込み・閲覧の権限を有さない工程表データについての代表工程画面を表示する（ステップＳ８１）。こうして、その代表工程画面が画面上に表示されると、スタッフＢも、スタッフＡによる上記の操作と同様の操作を行うことにより、その書込み・閲覧の権限を有さない工程表データに対して投稿データを追記することができる（ステップＳ８２〜Ｓ８６）。
【０１６９】
その後、グループ管理者は、こうして追記された投稿データを公開するかどうかの設定を行う。まず、グループ管理者は、グループ管理者端末２０を用いて、これら投稿データの表示を要求する旨の情報を進捗管理サーバ１０に送信する。進捗管理サーバ１０は、グループ管理者端末２０から投稿データの表示要求情報を受信すると、その要求された投稿データをグループ管理者端末２０に送信する。次に、グループ管理者端末２０が進捗管理サーバ１０から送られた投稿データの内容を画面上に表示すると（ステップＳ８７）、グループ管理者は、必要に応じてテキストデータの内容を編集し（ステップＳ８８）、そして、画像の内容を確認する（ステップＳ８９）。その後、グループ管理者は、この投稿データの内容を公開してもよいと判断すると、この投稿データと関連付けられたＱＲ詳細工程に関連するＵＲＬのサイトの公開を設定する（ステップＳ９０）。そして、グループ管理者端末２０が、この公開設定に関する情報を進捗管理サーバ１０に送信すると、進捗管理サーバ１０は、その投稿データを当該サイトで公開する（ステップＳ９１）。
【０１７０】
一方、一般の消費者が、自己の携帯端末（外部端末）を用いて、このＱＲコードを撮影し（ステップＳ９２）、そのＱＲコードに記憶されたＵＲＬのサイトの閲覧要求を進捗管理サーバ１０に送信すると、進捗管理サーバ１０は、そのサイトで公開されている投稿データをその携帯端末に送信し、一般の消費者は、その投稿データの内容を閲覧することができる（ステップＳ９３）。
【０１７１】
このように、第二実施形態の進捗管理システムでは、各スタッフが、書込み・閲覧の権限を有さない工程表データに対しても投稿データを追記することができるので、多くのスタッフにより多数の投稿データを収集することができる。また、グループ管理者は、グループ管理者端末２０を用いて、投稿データの一覧を画面上に表示することができる。このとき、グループ管理者端末２０の検索機能を利用すると、所定の検索キーに合致した投稿データのみを表示することができる。
【０１７２】
（８）その他の動作
第二実施形態の進捗管理システムによる動作として、上記の各動作の他に、連絡掲示板の閲覧・書込み動作、緊急連絡情報の通知動作、スケジュールの登録動作等がある。しかし、これらの動作は、上記の第一実施形態における動作と同様であるので、ここではその詳細な説明を省略する。
【０１７３】
＜第二実施形態のまとめ＞
第二実施形態の進捗管理システムでは、スタッフは、スタッフ端末を用いて工程表の内容を容易に閲覧することができると共に、スタッフ端末から進捗管理サーバにアクセスして、投稿データを、所定の代表工程の所定の詳細工程に容易に関連付けて登録することができる。このため、進捗管理サーバは、詳細工程毎にそれに関連する投稿データをまとめて一元管理することができる。
また、工程表において、代表工程の一つとしてＱＲ代表工程が含められ、そのＱＲ代表工程に一又は複数のＱＲ詳細工程が関連付けられており、進捗管理サーバは、ＱＲ詳細工程に公開用の投稿データを関連付けて管理することにより、公開用の投稿データを、他の投稿データと別個に管理することができる。かかる公開用の投稿データは、例えば、農作物について、生産農家から消費者までの生産・流通履歴の記録や確認のために利用することができる。
【０１７４】
また、従来、作業現場において工程の確認を行う場合、黒板に工程と日付を書いて、その黒板の画像を撮影していた。しかしながら、第二実施形態の進捗管理システムを用いると、携帯端末からサーバに送信する投稿データに、その工程に関する画像やコメントについてのデータと共に、日付データや位置データをも含めているので、今までのように黒板の文字が解読することができるように撮影していたものが必要でなくなる等、工程の確認に関する基本的な概念を変えることができる。尚、当然のことであるが、画像データには、不正や改ざんのないことを証明するＥＸＩＦ情報が付随している。
【０１７５】
［他の実施形態］
尚、上記の各実施形態は本発明の好適な実施の一例であり、本発明は上記の各実施形態に限定されるものではなく、本発明の要旨を逸脱しない範囲において種々変形して実施することが可能である。
【０１７６】
例えば、上記の各実施形態では、管理者端末とスタッフ端末の各々に専用のアプリケーションプログラムをインストールする場合について説明したが、これらのアプリケーションプログラムに基づいて管理者端末やスタッフ端末で行う処理のほとんどを進捗管理サーバの側で行うように、管理者端末やスタッフ端末はシンクライアントとしてもよい。
【０１７７】
また、上記の各実施形態では、工程表が代表工程と詳細工程とを有する二階層である場合について説明したが、本発明の工程表は、代表工程だけの一階層であってもよいし、三階層以上であってもよい。
【０１７８】
更に、上記の第一実施形態では、本発明の進捗管理システムを建築工事における工程の進捗を管理する場合に適用し、上記の第二実施形態では、本発明の進捗管理システムを農作業における工程の進捗を管理する場合に適用した。しかしながら、本発明の進捗管理システムは、建築や農業の分野だけでなく、営業支援、物販、物流、介護等の他の分野において工程の進捗を管理する場合に適用することができる。
【産業上の利用可能性】
【０１７９】
以上説明したように、本発明の進捗管理システムによれば、作業員端末にＣＰＵの性能やメモリの容量等の制約があり、インストール可能なソフトウェアに制限がある場合であっても、例えば建築工事の工程表を容易に閲覧することが可能となる。また、本発明の進捗管理システムによれば、画像データやテキストデータを有する投稿データを、所定の代表工程データや所定の詳細工程データに関連付けて登録するので、サーバは多数の作業工程を有する工程表データと大容量の投稿データとを一元管理することができる。これにより、サーバは、大容量のデータを迅速に処理して作業者端末に送ることができるので、各々の現場で円滑な作業の進行を実現することができる。また、作業者は、作業者端末を用いて、サーバから送信される操作画面を見ながら、投稿データをサーバに送るので、例えば、操作画面で作業工程や代表工程を表示し、サーバに送る投稿データがどの作業工程の、どの代表工程に関するものであるかを確認しながら、投稿データをサーバに送信することができる。したがって、作業者は作業者端末の操作画面で作業工程や代表工程を容易に確認することができる。
したがって、本発明は、例えば、建築工事における工程の進捗、農作業における工程の進捗等、あらゆる分野における工程の進捗を管理する進捗管理システムに適用することができる。
【符号の説明】
【０１８０】
１０    進捗管理サーバ
２０    現場監督端末、グループ管理者端末
３０    現場作業員端末、スタッフ端末
４０    アクセス権限設定端末
５０    アプリダウンロードサーバ
【図１】
2010157206.tif 000003
【図２】
2010157206.tif 000004
【図３】
2010157206.tif 000005
【図４】
2010157206.tif 000006
【図５】
2010157206.tif 000007
【図６】
2010157206.tif 000008
【図７】
2010157206.tif 000009
【図８】
2010157206.tif 000010
【図９】
2010157206.tif 000011
【図１０】
2010157206.tif 000012
【図１１】
2010157206.tif 000013
【図１２】
2010157206.tif 000014
【図１３】
2010157206.tif 000015
【図１４】
2010157206.tif 000016
【図１５】
2010157206.tif 000017
【図１６】
2010157206.tif 000018
【図１７】
2010157206.tif 000019
【図１８】
2010157206.tif 000020
【図１９】
2010157206.tif 000021
【図２０】
2010157206.tif 000022
【図２１】
2010157206.tif 000023
【図２２】
2010157206.tif 000024
【図２３】
2010157206.tif 000025
【図２４】
2010157206.tif 000026
【図２５】
2010157206.tif 000027
【図２６】
2010157206.tif 000028
【図２７】
2010157206.tif 000029
【図２８】
2010157206.tif 000030
【図２９】
2010157206.tif 000031
【図３０】
2010157206.tif 000032
【図３１】
2010157206.tif 000033
【図３２】
2010157206.tif 000034
【図３３】
2010157206.tif 000035
【図３４】
2010157206.tif 000036
【図３５】
2010157206.tif 000037